(57)【要約】【課題】多層光ディスクの一の情報記録層からの回折光の反射光用の受光面の一部に対して、当該受光面が受光する他の情報記録層からの０次光の反射光を相殺するための、他の情報記録層からの０次光の反射光を受光する受光面を備えた光検出装置、光ピックアップ装置を提供することを目的とする。【解決手段】多層光ディスクの一の情報記録層からの、レーザー光を基に発生する０次光の反射光を受光する第１受光面と、前記第１受光面と所定間隔をもって隣接し、前記一の情報記録層からの、前記レーザー光を基に発生する回折光の反射光を受光する第２受光面と、を有する光検出装置であって、前記第２受光面の一部に対して、前記第２受光面が受光する前記多層光ディスクの他の情報記録層からの前記０次光の反射光を相殺するための、前記他の情報記録層からの前記０次光の反射光を受光する第３受光面を備えた、ことを特徴とする。【選択図】図１
2008059631.tif 000002
【特許請求の範囲】
【請求項１】
多層光ディスクの一の情報記録層からの、レーザー光を基に発生する０次光の反射光を受光する第１受光面と、
前記第１受光面と所定間隔をもって隣接し、前記一の情報記録層からの、前記レーザー光を基に発生する回折光の反射光を受光する第２受光面と、
を有する光検出装置であって、
前記第２受光面の一部に対して、前記第２受光面が受光する前記多層光ディスクの他の情報記録層からの前記０次光の反射光を相殺するための、前記他の情報記録層からの前記０次光の反射光を受光する第３受光面を備えた、
ことを特徴とする光検出装置。
【請求項２】
前記回折光の反射光は、前記回折光が前記一の情報記録層で反射されることにより発生する、０次の第１反射光と回折する第２反射光とからなり、
前記第３受光面は、
前記０次光が前記一の情報記録層に合焦するときに、前記第２受光面が前記第２反射光を受光する領域以外に設けられる、
ことを特徴とする請求項１に記載の光検出装置。
【請求項３】
前記回折光の反射光は、前記回折光が前記一の情報記録層で反射されることにより発生する、０次の第１反射光と回折する第２反射光とからなり、
前記第３受光面は、
前記０次光が前記一の情報記録層に合焦するときに、前記第２受光面が前記第１反射光及び前記第２反射光を受光する領域以外に設けられる、
ことを特徴とする請求項１に記載の光検出装置。
【請求項４】
前記第２受光面は、差動プッシュプル法に基づくトラッキング制御を行うための第１受光領域と第２受光領域とを有し、
前記第３受光面は、前記第１受光領域と前記第２受光領域とのそれぞれに設けられる、
ことを特徴とする請求項１乃至請求項３の何れかに記載の光検出装置。
【請求項５】
前記回折光は、
前記レーザー光を基に発生する正の回折次数の回折光と負の回折次数の回折光とからなり、
前記第２受光面は、
前記第１受光面と所定間隔をもって隣接し、前記一の情報記録層からの、前記正の回折次数の回折光の反射光を受光する第４受光面と、
前記第４受光面と相反する側に前記第１受光面と所定間隔をもって隣接し、前記一の情報記録層からの、前記負の回折次数の回折光の反射光を受光する第５受光面と、からなり、
前記第３受光面は、
前記第４受光面の一部に対して設けられる、前記第４受光面が受光する前記他の情報記録層からの前記０次光の反射光を相殺するための、前記他の情報記録層からの前記０次光の反射光を受光する第６受光面と、
前記第５受光面の一部に対して設けられる、前記第５受光面が受光する前記他の情報記録層からの前記０次光の反射光を相殺するための、前記他の情報記録層からの前記０次光の反射光を受光する第７受光面と、からなる、
ことを特徴とする請求項１乃至請求項４の何れか記載の光検出装置。
【請求項６】
多層光ディスクの一の情報記録層からの、レーザー光を基に発生する０次光の反射光を受光する第１受光面と、
前記第１受光面と所定間隔をもって隣接し、前記一の情報記録層からの、前記レーザー光を基に発生する回折光の反射光を受光する第２受光面と、
を有する光検出装置であって、
前記第１受光面の一部に対して、前記第１受光面が受光する前記多層光ディスクの他の情報記録層からの前記０次光の反射光を相殺するための、前記他の情報記録層からの前記０次光の反射光を受光する第３受光面を備えた、
ことを特徴とする光検出装置。
【請求項７】
前記０次光の反射光は、前記０次光が前記一の情報記録層で反射されることにより発生する、０次の第１反射光と回折する第２反射光とからなり、
前記第３受光面は、
前記０次光が前記一の情報記録層に合焦するときに、前記第１受光面が前記第１反射光及び前記第２反射光を受光する領域以外に設けられる、
ことを特徴とする請求項６に記載の光検出装置。
【請求項８】
請求項１乃至請求項７の何れかに記載の光検出装置を備えた、
ことを特徴とする光ピックアップ装置。
【発明の詳細な説明】
【技術分野】
【０００１】
本発明は、光検出装置、光ピックアップ装置に関する。
【背景技術】
【０００２】
近年、光ディスク（ＣＤ（Compact Disc）、ＤＶＤ（Digital Versatile Disc）、ＨＤ・ＤＶＤ（High Definition DVD）、Ｂｌｕ-ｒａｙ Ｄｉｓｃ（登録商標）等）から情報の再生又は記録を行うための光ピックアップ装置が普及している。この光ピックアップ装置は、情報の再生又は記録を行うために、光ディスクの情報記録層に対し、レーザー光を基に発生する例えば０次光及び±１次回折光を用いた、差動プッシュプル法や３ビーム法等に基づくトラッキング制御、差動非点収差法等に基づくフォーカス制御を行う。
【０００３】
以下、図１５を参照しつつ、一例として差動プッシュプル法に基づくトラッキング制御及び差動非点収差法に基づくフォーカス制御について説明する。先ず、半導体レーザーから出射されるレーザー光が回折格子等を介することによって、例えば０次光及び±１次回折光が発生する。尚、この回折格子等は、０次光及び±１次回折光の光量比を、一般的に１０〜２０：１とする回折効率を有する。０次光及び±１次回折光は、各光学系（偏光ビームスプリッタ、コリメータレンズ、対物レンズ等）を介することにより、光ディスクの情報記録層に集光されて反射する。そして、０次光の反射光（以下、０次反射光という）及び±１次回折光の反射光（以下、±１次反射光という）は、例えば偏光ビームスプリッタにて反射されることにより、光検出装置の各受光面にて受光される。つまり、図１５に示すように、０次反射光は、光検出装置が有する受光面１０１の受光領域Ａ´乃至Ｄ´において受光され、＋１次反射光は、光検出装置が有する受光面１０２の受光領域Ｅ´乃至Ｈ´において受光され、−１次反射光は、光検出装置が有する受光面１０３の受光領域Ｉ´乃至Ｌ´において受光される。そして、各受光領域Ａ´乃至Ｌ´の反射光の光量に応じた光電変換信号Ａ´乃至Ｌ´に基づいて、（光電変換信号Ａ´＋光電変換信号Ｂ´）−（光電変換信号Ｃ´＋光電変換信号Ｄ´）−ｋ・｛（光電変換信号Ｅ´＋光電変換信号Ｆ´）−（光電変換信号Ｇ´＋光電変換信号Ｈ´）＋（光電変換信号Ｉ´＋光電変換信号Ｊ´）−（光電変換信号Ｋ´＋光電変換信号Ｌ´）｝（ｋ：０次光の光量／±１次回折光の光量）を演算処理することにより、レンズシフトや光ディスクの傾き等によるオフセットが除去された良好なトラッキングエラー信号が検出される。また、（光電変換信号Ａ´＋光電変換信号Ｃ´）−（光電変換信号Ｂ´＋光電変換信号Ｄ´）＋ｋ・｛（光電変換信号Ｅ´＋光電変換信号Ｇ´）−（光電変換信号Ｆ´＋光電変換信号Ｈ´）＋（光電変換信号Ｉ´＋光電変換信号Ｋ´）−（光電変換信号Ｊ´＋光電変換信号Ｌ´）｝を演算処理することにより、トラック横断時のトラッキングエラー信号の漏れ込み等が低減された良好なフォーカスエラー信号が検出される。そして、このトラッキングエラー信号及びフォーカスエラー信号に基づいて、光ディスクの径方向及び光軸方向に対物レンズを移動することにより、０次光を光ディスクの情報記録層に合焦及び追従させることが可能となる。この結果、光ディスクからの良好な情報の再生又は記録を行うことが可能となる。
【０００４】
ところで、近年においては、１つの情報記録層のみを有する光ディスクと比べて、より多くの情報を記録可能とするべく、複数の情報記録層を有する所謂多層光ディスクが実現されている。そして、この多層光ディスクの各情報記録層に対しても同様に、良好な情報の再生又は記録を行うべく、トラッキング制御及びフォーカス制御を行う必要がある。
【特許文献１】特開２００５−３５３２５２号公報
【特許文献２】特開２００５−３４６８８２号公報
【発明の開示】
【発明が解決しようとする課題】
【０００５】
しかしながら、多層光ディスクの情報の再生又は記録の対象である一の情報記録層に対しトラッキング制御及びフォーカス制御を行う場合、一の情報記録層とは異なる他の情報記録層からの０次反射光（所謂、迷光）が発生し、正確なトラッキングエラー信号及びフォーカスエラー信号を検出出来なくなる虞があった。このため、良好なトラッキング制御及びフォーカス制御を行うことが困難となり、正確な情報の再生又は記録を行うことが困難又は出来なくなる虞があった。
【０００６】
以下、図１６、図１７を参照しつつ、例えば２つの情報記録層Ｌ０、Ｌ１を有する光ディスク１００からの情報の再生又は記録に対する、迷光の影響について説明する。光ディスク１００の情報記録層Ｌ１は、情報記録層Ｌ０、Ｌ１の何れに対しても情報の再生又は記録を可能とするべく、半透明反射膜で形成されている。このため、図１６（ａ）に示すように、情報記録層Ｌ０に対して０次光を集光する場合、当該情報記録層Ｌ０からの０次反射光（実線）のみならず、情報記録層Ｌ１からの０次反射光（破線）が発生する。また、図１６（ｂ）に示すように、情報記録層Ｌ１に対して０次光を集光する場合、当該情報記録層Ｌ１からの０次反射光（実線）のみならず、０次光が情報記録層Ｌ１を透過して反射することによる０次反射光（破線）が発生する。この結果、光検出装置の受光面１０１乃至１０３は、受光するべき一の情報記録層からの０次反射光及び±１次反射光（実線）のみならず、図１７破線内の斜線部に示すように、他の情報記録層からの０次反射光を受光することとなる。このため、受光領域Ａ´乃至Ｌ´からの光電変換信号Ａ´乃至Ｌ´に基づくトラッキングエラー信号及びフォーカスエラー信号は、他の情報記録層からの０次反射光の成分を含んだ信号となる。このトラッキングエラー信号及びフォーカスエラー信号は、他の情報記録層からの０次反射光に応じて、他の情報記録層からの０次反射光の成分を含んでいないときのトラッキングエラー信号及びフォーカスエラー信号に対するオフセットや振幅変動が発生した信号となる可能性があった。つまり、光ディスク１００の一の情報記録層に対する０次光の位置ずれを正確に反映していないトラッキングエラー信号及びフォーカスエラー信号が検出される虞があった。特に、±１次反射光のみを受光するべき受光領域Ｅ´乃至Ｌ´からの光電変換信号Ｅ´乃至Ｌ´は、０次光と±１次回折光との光量比を補正するべく増幅（ｋ倍）されるため他の情報記録層からの０次反射光の影響が大きくなり、より不正確なトラッキングエラー信号及びフォーカスエラー信号が検出される虞があった。この結果、良好なトラッキング制御及びフォーカス制御を行うことが困難となり、正確な情報の再生又は記録を行うことが困難又は出来なくなる虞があった。
【０００７】
そこで、上記特許文献１、２等に示す従来技術においては、±１次反射光を受光するための受光面１０２、１０３とは別途に、当該受光面１０２、１０３にて受光される他の情報記録層からの０次反射光を相殺するための受光面を設ける方法が提案されている。しかしながら、これらの従来技術では、当該他の情報記録層からの０次反射光を相殺するための受光面を新たに設ける必要があるため、工程数の増加、コストアップ、複雑化、大型化等を招く虞があった。
【０００８】
そこで、本発明は、多層光ディスクの一の情報記録層からの回折光の反射光用の受光面の一部に対して、当該受光面が受光する他の情報記録層からの０次光の反射光を相殺するための、他の情報記録層からの０次光の反射光を受光する受光面を備えた光検出装置、光ピックアップ装置を提供することを目的とする。
【課題を解決するための手段】
【０００９】
前記課題を解決するための発明は、多層光ディスクの一の情報記録層からの、レーザー光を基に発生する０次光の反射光を受光する第１受光面と、前記第１受光面と所定間隔をもって隣接し、前記一の情報記録層からの、前記レーザー光を基に発生する回折光の反射光を受光する第２受光面と、を有する光検出装置であって、前記第２受光面の一部に対して、前記第２受光面が受光する前記多層光ディスクの他の情報記録層からの前記０次光の反射光を相殺するための、前記他の情報記録層からの前記０次光の反射光を受光する第３受光面を備えた、ことを特徴とする。
【００１０】
また、多層光ディスクの一の情報記録層からの、レーザー光を基に発生する０次光の反射光を受光する第１受光面と、前記第１受光面と所定間隔をもって隣接し、前記一の情報記録層からの、前記レーザー光を基に発生する回折光の反射光を受光する第２受光面と、を有する光検出装置であって、前記第１受光面の一部に対して、前記第１受光面が受光する前記多層光ディスクの他の情報記録層からの前記０次光の反射光を相殺するための、前記他の情報記録層からの前記０次光の反射光を受光する第３受光面を備えた、ことを特徴とする。
【発明の効果】
【００１１】
本発明によれば、回折光の反射光用の受光面が受光する他の情報記録層からの０次光の反射光を相殺させることが可能となり、他の情報記録層からの０次光の反射光の影響を防止した、多層光ディスクに対する情報の再生又は記録を行うことができる。
【発明を実施するための最良の形態】
【００１２】
本明細書および添付図面の記載により、少なくとも以下の事項が明らかとなる。
【００１３】
＝＝＝本発明に係る光検出装置１０を具備する光ピックアップ装置１の全体構成＝＝＝
以下、図２を参照しつつ、本発明に係る光検出装置１０を具備する光ピックアップ装置１の全体構成について説明する。図２は、本発明に係る光検出装置１０を具備する光ピックアップ装置１の全体構成の一例を示す図である。尚、図２に示す光ディスク９０は、複数の情報記録層を有する多層光ディスクの一例として、情報記録層Ｌ０と半透明反射膜から形成される情報記録層Ｌ１との２つの情報記録層を有するＢｌｕ-ｒａｙ Ｄｉｓｃであるものとして、以下説明する。また、光ピックアップ装置１は、例えば差動プッシュプル法に基づくトラッキング制御及び差動非点収差法に基づくフォーカス制御を行うものとして、以下説明する。
【００１４】
光ピックアップ装置１は、半導体レーザー２、回折格子３、偏光ビームスプリッタ４、コリメータレンズ５、１／４波長板６、対物レンズ７、アクチュエータ８、検出レンズ９、光検出装置１０を有する。尚、図２に示す光ピックアップ装置１は、一般的な光ピックアップ装置が有するフロントモニタダイオード等は省略している。
【００１５】
半導体レーザー２は、例えばｐ型半導体とｎ型半導体とをｐｎ接合したダイオードから構成されている。半導体レーザー２は、不図示のレーザー駆動回路からの制御電圧が印加されることにより、光ディスク９０の情報記録層Ｌ０までの保護層の厚み（０．１ｍｍ〜０．０７５ｍｍ）に対応する波長（４００ｎｍ〜４１０ｎｍ）であって、所定方向の直線偏光であるレーザー光を出射する。
【００１６】
回折格子３は、半導体レーザー２からのレーザー光を基に、例えば０次光（メインビームとも称する）及び±１次回折光（正の回折次数の回折光、負の回折次数の回折光。（先行及び後行）サブビームとも称する）を発生する。この回折格子３は、０次光と±１次回折光との光量比を、例えば１０〜２０：１とする回折効率を有する。
【００１７】
偏光ビームスプリッタ４は、前述の所定方向の直線偏光を透過し、所定方向と直交する直線偏光を検出レンズ９へ反射する偏光膜を有する。このため、偏光ビームスプリッタ４は、回折格子３からの０次光及び±１次回折光を透過する。また、偏光ビームスプリッタ４は、光ディスク９０の情報の再生又は記録の対象である一の情報記録層（Ｌ０又はＬ１。以下、対象の情報記録層という）からの０次反射光及び±１次反射光を、検出レンズ９へ反射する。更に、偏光ビームスプリッタ４は、光ディスク９０の情報の再生又は記録の対象ではない他の情報記録層（Ｌ１又はＬ０。以下、非対象の情報記録層という）からの０次反射光（以下、迷光という）及び±１次反射光を、検出レンズ９へ反射する。尚、光ディスク９０の前記非対象の情報記録層からの±１次反射光の光量は、回折格子３の回折効率や前記非対象の情報記録層に対する±１次回折光の非集光等に起因して、トラッキングエラー信号及びフォーカスエラー信号の検出に影響を及ぼさない程度の光量となるため、本実施形態においては、説明を省略する。
【００１８】
コリメータレンズ５は、偏光ビームスプリッタ４からの０次光及び±１次回折光を平行光に変換して、１／４波長板６に出射する。また、コリメータレンズ５は、１／４波長板６からの０次反射光及び±１次反射光、迷光を収束光に変換して、偏光ビームスプリッタ４に出射する。
【００１９】
１／４波長板６は、前述の所定方向の直線偏光を所定回転方向の円偏光に変換し、所定回転方向とは逆方向の円偏光を所定方向と直交する直線偏光に変換するように光軸方向が設定された、複屈折シート、ポリマー材料等の高分子材料や水晶等から構成される。このため、１／４波長板６は、コリメータレンズ５からの０次光及び±１次回折光を、所定回転方向の円偏光に変換する。また、１／４波長板６は、対物レンズ７からの所定回転方向とは逆方向の円偏光である０次反射光及び±１次反射光、迷光を、所定方向と直交する直線偏光に変換する。
【００２０】
対物レンズ７は、光ディスク９０の規格に対応する開口数（０．８５）を有し、トラッキング制御用のコイル及びフォーカス制御用のコイルを有する不図示のホルダーにて保持される。対物レンズ７は、１／４波長板６からの０次光及び±１次回折光を、光ディスク９０の前記対象の情報記録層（Ｌ０又はＬ１）に集光する。この結果、０次光及び±１次回折光は、光ディスク９０の前記対象の情報記録層（Ｌ０又はＬ１）に集光されるとともに、光ディスク９０の前記非対象の情報記録層（Ｌ１又はＬ０）を照射することとなる。このため、光ディスク９０において、所定回転方向とは逆方向の円偏光である、０次反射光及び±１次反射光、迷光が発生することとなる。そして、対物レンズ７は、光ディスク９０からの０次反射光及び±１次反射光、迷光を略平行光に変換して、１／４波長板６に出射する。
【００２１】
尚、この０次反射光とは、光ディスク９０の前記対象の情報記録層（Ｌ０及びＬ１）に螺旋状に形成されたトラックで０次光が反射回折されることにより発生する、例えば０次光及び±１次回折光を示すものである。そこで、本実施形態おいては、通常０次反射光と称し、必要に応じて、０次反射光を構成する０次光を０次の０次反射光と称し、±１次回折光を±１次の０次反射光と称する。また、±１次反射光とは、光ディスク９０の情報記録層のトラックで±１次回折光が反射回折されることにより発生する、例えば各０次光及び±１次回折光を示すものである。そこで、本実施形態においては、通常＋１次反射光と称し、必要に応じて、＋１次反射光を構成する０次光（０次の第１反射光）を０次の＋１次反射光と称し、±１次回折光（回折する第２反射光）を±１次の＋１次反射光と称する。同様に、通常−１次反射光と称し、必要に応じて、−１次反射光を構成する０次光（０次の第１反射光）を０次の−１次反射光と称し、±１次回折光（回折する第２反射光）を±１次の−１次反射光と称する。
【００２２】
アクチュエータ８は、トラッキング制御用の磁気部材（マグネット、ヨーク等）、フォーカス制御用の磁気部材（同様）、一端が対物レンズ７を保持するホルダーに固着されたサスペンションワイヤ等から構成される。アクチュエータ８は、不図示のサーボ制御回路からのトラッキングエラー信号に基づく制御電圧が印加されることによって発生する、トラッキング制御用の磁気部材と前述のコイルとの磁気作用により、対物レンズ７を光ディスク９０の径方向へ移動する。また、アクチュエータ８は、不図示のサーボ制御回路からのフォーカスエラー信号に基づく制御電圧が印加されることによって発生する、フォーカス制御用の磁気部材と前述のコイルとの磁気作用により、対物レンズ７を光軸方向に移動する。
【００２３】
検出レンズ９は、シリンドリカルレンズ等で構成され、偏光ビームスプリッタ４からの０次反射光及び±１次反射光、迷光に非点収差を付与する。
【００２４】
光検出装置１０は、後述する受光面１１乃至１３を有し、検出レンズ９からの０次反射光及び±１次反射光、迷光を受光する。以下、光検出装置１０の構成について詳述する。
【００２５】
＝＝＝本発明に係る光検出装置１０の構成＝＝＝
以下、図１を参照しつつ、本発明に係る光検出装置１０の構成について説明する。図１は、本発明に係る光検出装置１０が有する受光面１１乃至１３を示す図である。尚、図１に示す０次反射光及び±１次反射光は、光ディスク９０の前記対象の情報記録層（Ｌ０又はＬ１）のトラックに、０次光が合焦及び追従しているときの受光面１１乃至１３への受光の様子を示すものである。
【００２６】
受光面１１（第１受光面）は、受光領域Ａ乃至Ｄを有する。受光領域Ａ乃至Ｄは、全受光領域の中心から同一の放射角度をもって全受光領域を４分割したものである。また、受光領域Ａ、Ｂと受光領域Ｃ、Ｄとの分割方向は、光ディスク９０の前記対象の情報記録層（Ｌ０及びＬ１）のトラックの接線方向と対応し、受光領域Ａ、Ｄと受光領域Ｂ、Ｃとの分割方向は、光ディスク９０の径方向と対応している。そして、受光面１１は、受光領域Ａ、Ｂにおいて、光ディスク９０の前記対象の情報記録層（Ｌ０又はＬ１）からの０次反射光のうち、０次の０次反射光、＋１次の０次反射光の一部（斜線部）を受光する。また、受光面１１は、受光領域Ｃ、Ｄにおいて、光ディスク９０の前記対象の情報記録層（Ｌ０又はＬ１）からの０次反射光のうち、０次の０次反射光、−１次の０次反射光の一部（斜線部）を受光する。尚、受光面１１は、受光領域Ａ乃至Ｄにおいて、光ディスク９０の前記非対象の情報記録層（Ｌ１又はＬ０）からの迷光を受光することとなる。しかしながら、受光面１１が受光する迷光は、受光面１２、１３（第２受光面）が受光する迷光のように増幅されないため、トラッキングエラー信号及びフォーカスエラー信号に対する影響が受光面１２、１３が受光する迷光の影響に比べて小さい。そこで、本実施形態においては、受光面１１が受光する迷光については、説明を省略するものとする。そして、受光面１１は、受光領域Ａ乃至Ｄにおいて受光した０次反射光の光量に応じた光電変換信号Ａ乃至Ｄを生成して、後段のトラッキングエラー信号を生成する演算処理回路４０（後述の図３参照）、フォーカスエラー信号を形成する演算処理回路６０（後述の図５参照）に出力する。
【００２７】
尚、光ディスク９０の前記対象の情報記録層（Ｌ０又はＬ１）のトラックに０次光が合焦及び追従している場合、受光面１１は図１に示すように０次反射光を受光するため、受光領域Ａにおいて受光する０次の０次反射光及び＋１次の０次反射光の一部の光量と、受光領域Ｂにおいて受光する０次の０次反射光及び＋１次の０次反射光の一部の光量と、受光領域Ｃにおいて受光する０次の０次反射光及び−１次の０次反射光の一部の光量と、受光領域Ｄにおいて受光する０次の０次反射光及び−１次の０次反射光の一部の光量とは等しくなる。
【００２８】
受光面１２（第４受光面）は、受光面１１と所定間隔をもって隣接し、受光領域Ｅ乃至Ｈと受光面Ｍ（第３受光面、第６受光面）を有する。受光領域Ｅ、Ｆ（第１受光領域）は、受光面Ｍとの分割方向が光ディスク９０の情報記録層（Ｌ０及びＬ１）のトラックの接線方向と対応し、受光領域Ｅと受光領域Ｆとの分割方向は、光ディスク９０の径方向と対応している。そして、受光面１２は、受光領域Ｅ、Ｆにおいて、光ディスク９０の前記対象の情報記録層（Ｌ０又はＬ１）からの＋１次反射光のうち、０次の＋１次反射光、＋１次の＋１次反射光の一部（斜線部）を受光する。また、受光面１２は、受光領域Ｅ、Ｆにおいて、光ディスク９０の前記非対象の情報記録層（Ｌ１又はＬ０）からの迷光を受光する。受光領域Ｇ、Ｈ（第２受光領域）は、受光面Ｍとの分割方向が光ディスク９０の情報記録層（Ｌ０及びＬ１）のトラックの接線方向と対応し、受光領域Ｇと受光領域Ｈとの分割方向は、光ディスク９０の径方向と対応している。そして、受光面１２は、受光領域Ｇ、Ｈにおいて、光ディスク９０の前記対象の情報記録層（Ｌ０又はＬ１）からの＋１次反射光のうち、０次の＋１次反射光、−１次の＋１次反射光の一部（斜線部）を受光する。また、受光面１２は、受光領域Ｇ、Ｈにおいて、光ディスク９０の前記非対象の情報記録層（Ｌ１又はＬ０）からの迷光を受光する。
【００２９】
受光面Ｍは、受光面１２が受光領域Ｅ乃至Ｈにおいて受光する迷光を、当該受光面Ｍが受光する迷光で相殺するために設けられる。受光面Ｍは、受光領域Ｅ、Ｆと受光領域Ｇ、Ｈとの間に例えば略長方形状に設けられる。詳述すると、受光面Ｍは、一方の長手方向が受光領域Ｅ、Ｆと接し、他方の長手方向が受光領域Ｇ、Ｈと接し、一方及び他方の長手方向と直交する幅方向が、受光領域Ｅ、Ｆが受光すべき＋１次の＋１次反射光の一部及び受光領域Ｇ、Ｈが受光すべき−１次の＋１次反射光の一部の受光を回避する長さで設けられる。また、受光面Ｍは、受光領域Ｅ、Ｆとの分割方向と受光領域Ｇ、Ｈとの分割方向との中間点からなる線と、受光領域Ｅと受光領域Ｆとの分割方向及び受光領域Ｇと受光領域Ｈとの分割方向との交点が、光ディスク９０の前記対象の情報記録層（Ｌ０又はＬ１）のトラックに０次光が合焦しているときの０次の＋１次反射光の中心と一致するように設けられる。以下、受光面Ｍがこのように設けられる理由について説明すると、差動プッシュプル法に基づくトラッキング制御においては、光ディスク９０の情報記録層（Ｌ０及びＬ１）のトラックに対して０次光の位置ずれが生じた場合、ずれ量に応じて、＋１次の＋１次反射光の一部及び−１次の＋１次反射光の一部の光量が変化する。そして、＋１次の＋１次反射光の一部及び−１次の＋１次反射光の一部の光量の変化に応じてトラッキングエラー信号も変化することとなり、このトラッキングエラー信号の変化を用いることにより良好なトラッキング制御を行うことが可能となる。このため、＋１次の＋１次反射光の一部及び−１次の＋１次反射光の一部は、トラッキングエラー信号の検出の基となる受光領域Ｅ乃至Ｈのみで受光されることが望ましい。このため、受光面Ｍは、＋１次の＋１次反射光の一部及−１次の＋１次反射光の一部の受光を回避するように設けられる。そして、受光面Ｍは、光ディスク９０の前記対象の情報記録層（Ｌ０又はＬ１）からの＋１次反射光のうちの０次の＋１次反射光を受光する。また受光面Ｍは、受光面１２が受光領域Ｅ乃至Ｈにおいて受光する迷光を相殺するために、光ディスク９０の前記非対象の情報記録層（Ｌ１又はＬ０）からの迷光を受光する。
【００３０】
そして、受光面１２は、受光領域Ｅ乃至Ｈにおいて受光した＋１次反射光及び迷光の光量に応じた光電変換信号Ｅ乃至Ｈを生成して、後段の演算処理回路４０、６０に出力する。また、受光面Ｍは、受光した０次の＋１次反射光及び迷光の光量に応じた光電変換信号Ｍを生成して、後段の演算処理回路４０、６０に出力する。
【００３１】
尚、光ディスク９０の前記対象の情報記録層（Ｌ０又はＬ１）のトラックに０次光が合焦及び追従している場合、受光面１２は図１に示すように＋１次反射光を受光するため、受光領域Ｅにおいて受光する０次の＋１次反射光及び＋１次の＋１次反射光の一部の光量と、受光領域Ｆにおいて受光する０次の＋１次反射光及び＋１次の＋１次反射光の一部の光量と、受光領域Ｇにおいて受光する０次の＋１次反射光及び−１次の＋１次反射光の一部の光量と、受光領域Ｈにおいて受光する０次の＋１次反射光及び−１次の＋１次反射光の一部の光量とは等しくなる。
【００３２】
受光面１３（第５受光面）は、受光面１２と相反する側に受光面１１と所定間隔をもって隣接し、受光領域Ｉ乃至Ｌと受光面Ｎ（第３受光面、第７受光面）を有する。受光領域Ｉ、Ｊ（第１受光領域）は、受光面Ｎとの分割方向が光ディスク９０の情報記録層（Ｌ０及びＬ１）のトラックの接線方向と対応し、受光領域Ｉと受光領域Ｊとの分割方向は、光ディスク９０の径方向と対応している。そして、受光面１３は、受光領域Ｉ、Ｊにおいて、光ディスク９０の前記対象の情報記録層（Ｌ０又はＬ１）からの−１次反射光のうち、０次の−１次反射光、＋１次の−１次反射光の一部（斜線部）を受光する。また、受光面１３は、受光領域Ｉ、Ｊにおいて、光ディスク９０の前記非対象の情報記録層（Ｌ１又はＬ０）からの迷光を受光する。受光領域Ｋ、Ｌ（第２受光領域）は、受光面Ｎとの分割方向が光ディスク９０の情報記録層（Ｌ０及びＬ１）のトラックの接線方向と対応し、受光領域Ｋと受光領域Ｌとの分割方向は、光ディスク９０の径方向と対応している。そして、受光面１３は、受光領域Ｋ、Ｌにおいて、光ディスク９０の前記対象の情報記録層（Ｌ０又はＬ１）からの−１次反射光のうち、０次の−１次反射光、−１次の−１次反射光の一部（斜線部）を受光する。また、受光面１３は、受光領域Ｋ、Ｌにおいて、光ディスク９０の前記非対象の情報記録層（Ｌ１又はＬ０）からの迷光を受光する。
【００３３】
受光面Ｎは、受光面１３が受光領域Ｉ乃至Ｌにおいて受光する迷光を、当該受光面Ｎが受光する迷光で相殺するために設けられる。受光面Ｎは、受光領域Ｉ、Ｊと受光領域Ｋ、Ｌとの間に例えば略長方形状に設けられる。詳述すると、受光面Ｎは、一方の長手方向が受光領域Ｉ、Ｊと接し、他方の長手方向が受光領域Ｋ、Ｌと接し、一方及び他方の長手方向と直交する幅方向が、受光領域Ｉ、Ｊが受光すべき＋１次の−１次反射光の一部及び受光領域Ｋ、Ｌが受光すべき−１次の−１次反射光の一部の受光を回避する長さで設けられる。また、受光面Ｎは、受光領域Ｉ、Ｊとの分割方向と受光領域Ｋ、Ｌとの分割方向との中間点からなる線と、受光領域Ｉと受光領域Ｊとの分割方向及び受光領域Ｋと受光領域Ｌとの分割方向との交点が、光ディスク９０の前記対象の情報記録層（Ｌ０又はＬ１）のトラックに０次光が合焦しているときの０次の−１次反射光の中心と一致するように設けられる。尚、受光面Ｎがこのように設けられる理由は、前述の受光面１２における受光面Ｍと同様である。そして、受光面Ｎは、光ディスク９０の前記対象の情報記録層（Ｌ０又はＬ１）からの−１次反射光のうちの０次の−１次反射光を受光する。また、受光面Ｎは、受光面１３が受光領域Ｉ乃至Ｌにおいて受光する迷光を相殺するために、光ディスク９０の前記非対象の情報記録層（Ｌ１又はＬ０）からの迷光を受光する。
【００３４】
そして、受光面１３は、受光領域Ｉ乃至Ｌにおいて受光した−１次反射光及び迷光の光量に応じた光電変換信号Ｉ乃至Ｌを生成して、後段の演算処理回路４０、６０に出力する。また、受光面Ｎは、受光した０次の−１次反射光及び迷光の光量に応じた光電変換信号Ｎを生成して、後段の演算処理回路４０、６０に出力する。
【００３５】
尚、光ディスク９０の前記対象の情報記録層（Ｌ０又はＬ１）のトラックに０次光が合焦及び追従している場合、受光面１３は図１に示すように−１次反射光を受光するため、受光領域Ｉにおいて受光する０次の−１次反射光及び＋１次の−１次反射光の一部の光量と、受光領域Ｊにおいて受光する０次の−１次反射光及び＋１次の−１次反射光の一部の光量と、受光領域Ｋにおいて受光する０次の−１次反射光及び−１次の−１次反射光の一部の光量と、受光領域Ｌにおいて受光する０次の−１次反射光及び−１次の−１次反射光の一部の光量とは等しくなる。
【００３６】
＝＝＝本発明に係る光検出装置１０の受光結果に基づく迷光の相殺＝＝＝
以下、図１、図２を適宜参照しつつ、図３乃至図５を用いて、本発明に係る光検出装置１０の受光結果に基づく迷光の相殺について説明する。
【００３７】
＜＜トラッキングエラー信号の生成における迷光の相殺＞＞
図３は、本発明に係る光検出装置１０の受光結果に基づいてトラッキングエラー信号を生成する演算処理回路４０の全体構成の一例を示す回路図である。図４は、回折格子３を回転することにより、０次反射光のみを本発明に係る光検出装置１０において受光する様子を示す図である。
【００３８】
演算処理回路４０は、加算器４１、４２、４４、４５、４９、５０、５４、減算器４３、４６、４８、５１、５３、５６、５８、増幅器４７、５２、５５、直流信号生成器５７を有する。
【００３９】
加算器４１、４２、減算器４３は、トラッキングエラー信号の基となる、０次反射光の光量に応じた信号を生成するために設けられる。加算器４１は、光検出装置１０の受光面１１が、受光領域Ａにおいて受光した０次の０次反射光及び＋１次の０次反射光の一部の光量に応じた光電変換信号Ａと、受光領域Ｂにおいて受光した０次の０次反射光及び＋１次の０次反射光の一部の光量に応じた光電変換信号Ｂと、を加算する。
【００４０】
加算器４２は、光検出装置１０の受光面１１が、受光領域Ｃにおいて受光した０次の０次反射光及び−１次の０次反射光の一部の光量に応じた光電変換信号Ｃと、受光領域Ｄにおいて受光した０次の０次反射光及び−１次の０次反射光の一部の光量に応じた光電変換信号Ｄと、を加算する。
【００４１】
減算器４３は、加算器４１の加算結果（光電変換信号Ａ＋光電変換信号Ｂ）から、加算器４２の加算結果（光電変換信号Ｃ＋光電変換信号Ｄ）を減算する。この結果、減算器４３は、トラッキングエラー信号の基となる、０次反射光の光量に応じた信号｛（光電変換信号Ａ＋光電変換信号Ｂ）−（光電変換信号Ｃ＋光電変換信号Ｄ）｝を出力することとなる。
【００４２】
加算器４４、４５、減算器４６、４８、増幅器４７は、トラッキングエラー信号の基となる、迷光を相殺した＋１次反射光の光量に応じた信号を生成するために設けられる。加算器４４は、光検出装置１０の受光面１２が、受光領域Ｅにおいて受光した０次の＋１次反射光及び＋１次の＋１次反射光の一部、迷光の光量に応じた光電変換信号Ｅと、受光領域Ｆにおいて受光した０次の＋１次反射光及び＋１次の＋１次反射光の一部、迷光の光量に応じた光電変換信号Ｆと、を加算する。尚、以下、光電変換信号Ｅ、Ｆのうち、０次の＋１次反射光及び＋１次の＋１次反射光の一部の光量に応じた成分を光電変換信号Ｅ(１)、Ｆ(１)、迷光の光量に応じた成分を光電変換信号Ｅ(２)、Ｆ（２）とする。
【００４３】
加算器４５は、光検出装置１０の受光面１２が、受光領域Ｇにおいて受光した０次の＋１次反射光及び−１次の＋１次反射光の一部、迷光の光量に応じた光電変換信号Ｇと、受光領域Ｈにおいて受光した０次の＋１次反射光及び−１次の＋１次反射光の一部、迷光の光量に応じた光電変換信号Ｈと、を加算する。尚、以下、光電変換信号Ｇ、Ｈのうち、０次の＋１次反射光及び−１次の＋１次反射光の一部の光量に応じた成分を光電変換信号Ｇ(１)、Ｈ(１)、迷光の光量に応じた成分を光電変換信号Ｇ(２)、Ｈ(２)とする。
【００４４】
減算器４６は、加算器４４の加算結果（光電変換信号Ｅ(１)＋光電変換信号Ｅ(２)＋光電変換信号Ｆ(１)＋光電変換信号Ｆ(２)）から、加算器４５の加算結果（光電変換信号Ｇ(１)＋光電変換信号Ｇ(２)＋光電変換信号Ｈ(１)＋光電変換信号Ｈ(２)）を減じる。
【００４５】
増幅器４７は、光検出装置１０の受光面１２における受光面Ｍが受光した０次の＋１次反射光及び迷光の光量に応じた光電変換信号Ｍを、増幅率α１で増幅する。尚、以下、光電変換信号Ｍのうち、０次の＋１次反射光の光量に応じた成分を光電変換信号Ｍ(１)、迷光の光量に応じた成分を光電変換信号Ｍ(２)とする。この増幅率α１は、受光面１２が受光領域Ｅ乃至Ｈにおいて受光した迷光を受光面Ｍが受光した迷光で相殺する値に設定される。以下、増幅率α１の設定の一例について説明すると、図４に示すように、回折格子３を所定方向（例えば、図２紙面手前から奥方向）へ回転すると、受光面１２は、受光領域Ｅ乃至Ｈと受光面Ｍにおいて、迷光のみを受光することとなる。従って、このとき受光面１２と受光面Ｍが出力する光電変換信号は、迷光成分のみの光電変換信号Ｅ(２)乃至Ｈ(２)、Ｍ(２)となる。
【００４６】
そこで、増幅率α１は、
光電変換信号Ｅ(２)＋光電変換信号Ｆ(２)−光電変換信号Ｇ(２)−光電変換信号Ｈ(２)−光電変換信号Ｍ(２)・α１＝０
を満たす値に設定される。つまり、増幅率α１は、
（光電変換信号Ｅ(２)＋光電変換信号Ｆ(２)−光電変換信号Ｇ(２)−光電変換信号Ｈ(２)）／光電変換信号Ｍ(２)
に設定される。この結果、増幅器４７は、光電変換信号Ｍ(１)＋光電変換信号Ｍ(２)をα１倍した、光電変換信号Ｍ(１)・α１＋（光電変換信号Ｅ(２)＋光電変換信号Ｆ(２)−光電変換信号Ｇ(２)−光電変換信号Ｈ(２)）を出力する。
【００４７】
減算器４８は、減算器４６の減算結果｛（光電変換信号Ｅ(１)＋光電変換信号Ｅ(２)＋光電変換信号Ｆ(１)＋光電変換信号Ｆ(２)）−（光電変換信号Ｇ(１)＋光電変換信号Ｇ(２)＋光電変換信号Ｈ(１)＋光電変換信号Ｈ(２)）｝から、増幅器４７の増幅結果｛光電変換信号Ｍ(１)・α１＋（光電変換信号Ｅ(２)＋光電変換信号Ｆ(２)−光電変換信号Ｇ(２)−光電変換信号Ｈ(２)）｝を減じる。この減算器４８の減算結果は、
光電変換信号Ｅ(１)＋光電変換信号Ｆ(１)−光電変換信号Ｇ(１)−光電変換信号Ｈ(１)−光電変換信号Ｍ(１)・α１
となる。この式が示すように、減算器４８の減算結果は、受光面１２が受光領域Ｅ乃至Ｈにおいて受光した迷光を、受光面Ｍが受光した迷光で相殺したものとなる。この結果、減算器４８は、トラッキングエラー信号の基となる、迷光を相殺した＋１次反射光の光量に応じた信号を出力することとなる。
【００４８】
加算器４９、５０、減算器５１、５３、増幅器５２は、トラッキングエラー信号の基となる、迷光を相殺した−１次反射光の光量に応じた信号を生成するために設けられる。加算器４９は、光検出装置１０の受光面１３が、受光領域Ｉにおいて受光した０次の−１次反射光及び＋１次の−１次反射光の一部、迷光の光量に応じた光電変換信号Ｉと、受光領域Ｊにおいて受光した０次の−１次反射光及び＋１次の−１次反射光の一部、迷光の光量に応じた光電変換信号Ｊと、を加算する。尚、以下、光電変換信号Ｉ、Ｊのうち、０次の−１次反射光及び＋１次の−１次反射光の一部の光量に応じた成分を光電変換信号Ｉ(１)、Ｊ(１)、迷光の光量に応じた成分を光電変換信号Ｉ(２)、Ｊ(２)とする。
【００４９】
加算器５０は、光検出装置１０の受光面１３が、受光領域Ｋにおいて受光した０次の−１次反射光及び−１次の−１次反射光の一部、迷光の光量に応じた光電変換信号Ｋと、受光領域Ｌにおいて受光した０次の−１次反射光及び−１次の−１次反射光の一部、迷光の光量に応じた光電変換信号Ｌと、を加算する。尚、以下、光電変換信号Ｋ、Ｌのうち、０次の−１次反射光及び−１次の−１次反射光の一部の光量に応じた成分を光電変換信号Ｋ(１)、Ｌ(１)、迷光の光量に応じた成分を光電変換信号Ｋ(２)、Ｌ(２)とする。
【００５０】
減算器５１は、加算器４９の加算結果（光電変換信号Ｉ(１)＋光電変換信号Ｉ(２)＋光電変換信号Ｊ(１)＋光電変換信号Ｊ(２)）から、加算器５０の加算結果（光電変換信号Ｋ(１)＋光電変換信号Ｋ(２)＋光電変換信号Ｌ(１)＋光電変換信号Ｌ(２)）を減じる。
【００５１】
増幅器５２は、光検出装置１０の受光面１３における受光面Ｎが受光した０次の−１次反射光及び迷光の光量に応じた光電変換信号Ｎを、増幅率α２で増幅する。尚、以下、光電変換信号Ｎのうち、０次の−１次反射光の光量に応じた成分を光電変換信号Ｎ(１)、迷光の光量に応じた成分を光電変換信号Ｎ(２)とする。この増幅率α２は、受光面１３が受光領域Ｉ乃至Ｌにおいて受光した迷光を受光面Ｎで受光した迷光で相殺する値に設定される。以下、増幅率α２の設定の一例について説明すると、図４に示すように、回折格子３を所定方向（例えば、図２紙面手前から奥方向）へ回転すると、受光面１３は、受光領域Ｉ乃至Ｋと受光面Ｎにおいて、迷光のみを受光することとなる。従って、このとき受光面１３と受光面Ｎが出力する光電変換信号は、迷光成分のみの光電変換信号Ｉ(２)乃至Ｋ(２)、Ｎ(２)となる。
【００５２】
そこで、増幅率α２は、
光電変換信号Ｉ(２)＋光電変換信号Ｊ(２)−光電変換信号Ｋ(２)−光電変換信号Ｌ(２)−光電変換信号Ｎ(２)・α２＝０
を満たす値に設定される。つまり、増幅率α２は、
（光電変換信号Ｉ(２)＋光電変換信号Ｊ(２)−光電変換信号Ｋ(２)−光電変換信号Ｌ(２)）／光電変換信号Ｎ(２)
に設定される。この結果、増幅器５２は、光電変換信号Ｎ(１)＋光電変換信号Ｎ(２)をα２倍した、光電変換信号Ｎ(１)・α２＋（光電変換信号Ｉ(２)＋光電変換信号Ｊ(２)−光電変換信号Ｋ(２)−光電変換信号Ｌ(２)）を出力する。
【００５３】
減算器５３は、減算器５１の減算結果{（光電変換信号Ｉ(１)＋光電変換信号Ｉ(２)＋光電変換信号Ｊ(１)＋光電変換信号Ｊ(２)）−（光電変換信号Ｋ(１)＋光電変換信号Ｋ(２)＋光電変換信号Ｌ(１)＋光電変換信号Ｌ(２)）}から、増幅器５２の増幅結果｛光電変換信号Ｎ(１)・α２＋（光電変換信号Ｉ(２)＋光電変換信号Ｊ(２)−光電変換信号Ｋ(２)−光電変換信号Ｌ(２)）｝を減じる。この減算器５３の減算結果は、
光電変換信号Ｉ(１)＋光電変換信号Ｊ(１)−光電変換信号Ｋ(１)−光電変換信号Ｌ(１)−光電変換信号Ｎ(１)・α２
となる。この式が示すように、減算器５３の減算結果は、受光面１３が受光領域Ｉ乃至Ｌにおいて受光した迷光を、受光面Ｎが受光した迷光で相殺したものとなる。この結果、減算器５３は、トラッキングエラー信号の基となる、迷光を相殺した−１次反射光の光量に応じた信号を出力することとなる。
【００５４】
加算器５４は、減算器４８の減算結果（光電変換信号Ｅ(１)＋光電変換信号Ｆ(１)−光電変換信号Ｇ(１)−光電変換信号Ｈ(１)−光電変換信号Ｍ(１)・α１）と、減算器５３の減算結果（光電変換信号Ｉ(１)＋光電変換信号Ｊ(１)−光電変換信号Ｋ(１)−光電変換信号Ｌ(１)−光電変換信号Ｎ(１)・α２）と、を加算する。この結果、加算器５４は、（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）−光電変換信号Ｍ(１)・α１−光電変換信号Ｎ(１)・α２を出力する。
【００５５】
直流信号生成器５７は、加算器５４の加算結果のうちの｛−光電変換信号Ｍ(１)・α１−光電変換信号Ｎ(１)・α２｝と相殺するための直流信号Ｖａを生成して、減算器５８に出力する。直流信号Ｖａについて詳述すると、光電変換信号Ｍ(１)は、受光面Ｍが受光する０次の＋１次反射光及び迷光のうちの迷光成分を除いた、０次の＋１次反射光の光量に応じた信号である。そして、この光電変換信号Ｍ(１)は、＋１次回折光が光ディスク９０の前記対象の情報記録層（Ｌ０又はＬ１）のトラックを横断しているか否かに関わらず、０次の＋１次反射光の光量が一定となるため、信号成分が変化しない直流信号となる。同様に、光電変換信号Ｎ(１)は、受光面Ｎが受光する０次の−１次反射光及び迷光のうちの迷光成分を除いた、０次の−１次反射光の光量に応じた信号である。そして、この光電変換信号Ｎ(１)は、−１次回折光が光ディスク９０の前記対象の情報記録層（Ｌ０又はＬ１）のトラックを横断しているか否かに関わらず、０次の−１次反射光の光量が一定となるため、信号成分が変化しない直流信号となる。そこで、直流信号生成器５７は、直流信号である｛−光電変換信号Ｍ(１)・α１−光電変換信号Ｎ(１)・α２｝と等しい、直流信号Ｖａを生成する。尚、上述の直流信号生成器５７が生成する直流信号Ｖａは、増幅器４７の増幅率α１、増幅器５２の増幅率α２の設定後の実測値やシミュレーション等から得ることができる。
【００５６】
減算器５８は、加算器５４の加算結果（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）−光電変換信号Ｍ(１)・α１−光電変換信号Ｎ(１)・α２から、直流信号生成器５７からの直流信号Ｖａを減じる。この結果、減算器５８の減算結果は、受光面Ｍが受光した０次の＋１次反射光成分と受光面Ｎが受光した０次の−１次反射光成分とが減じられた、（光電変換信号Ｅ(１) ＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）となる。
【００５７】
増幅器５５は、減算器５８の減算結果（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）を、増幅率Ｘで増幅する。この増幅率Ｘは、回折格子３の回折効率による０次光と±１次回折光の光強度の相違を調整するべく定まる値である。そして、増幅器５５は、Ｘ・｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）｝を、減算器５６に出力する。
【００５８】
減算器５６は、減算器４３の減算結果｛（光電変換信号Ａ＋光電変換信号Ｂ）−（光電変換信号Ｃ＋光電変換信号Ｄ）｝から、増幅器５５の増幅結果[Ｘ・｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）｝]を減算することによって、トラッキングエラー信号を生成する。そして、このトラッキングエラー信号は、｛（光電変換信号Ａ＋光電変換信号Ｂ）−（光電変換信号Ｃ＋光電変換信号Ｄ）｝−Ｘ・｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）｝となり、受光面１２、１３が受光領域Ｅ乃至Ｈ、Ｉ乃至Ｌにおいて受光した迷光を、受光面Ｍ、Ｎが受光した迷光で相殺した信号となる。つまり、光ディスク９０の前記対象の情報記録層（Ｌ０又はＬ１）のトラックに対する、０次光の位置ずれに正確に対応したトラッキングエラー信号が生成されることとなる。
【００５９】
＜＜フォーカスエラー信号の生成における迷光の相殺＞＞
図５は、本発明に係る光検出装置１０の受光結果に基づいてフォーカスエラー信号を生成する演算処理回路６０の全体構成の一例を示す回路図である。
【００６０】
演算処理回路６０は、加算器６１、６２、６４、６５、６９、７０、７４、７６、減算器６３、６６、６８、７１、７３、７８、増幅器６７、７２、７５、直流信号生成器７７を有する。
【００６１】
加算器６１、６２、減算器６３は、フォーカスエラー信号の基となる、０次反射光の光量に応じた信号を生成するために設けられる。加算器６１は、光検出装置１０の受光面１１が、受光領域Ａにおいて受光した０次の０次反射光及び＋１次の０次反射光の一部の光量に応じた光電変換信号Ａと、受光領域Ｃにおいて受光した０次の０次反射光及び−１次の０次反射光の一部の光量に応じた光電変換信号Ｃと、を加算する。
【００６２】
加算器６２は、光検出装置１０の受光面１１が、受光領域Ｂにおいて受光した０次の０次反射光及び＋１次の０次反射光の一部の光量に応じた光電変換信号Ｂと、受光領域Ｄにおいて受光した０次の０次反射光及び−１次の０次反射光の一部の光量に応じた光電変換信号Ｄと、を加算する。
【００６３】
減算器６３は、加算器６１の加算結果（光電変換信号Ａ＋光電変換信号Ｃ）から、加算器６２の加算結果（光電変換信号Ｂ＋光電変換信号Ｄ）を減算する。この結果、減算器６３は、フォーカスエラー信号の基となる、０次反射光の光量に応じた信号｛（光電変換信号Ａ＋光電変換信号Ｃ）−（光電変換信号Ｂ＋光電変換信号Ｄ）｝を出力することとなる。
【００６４】
加算器６４、６５、減算器６６、６８、増幅器６７は、フォーカスエラー信号の基となる、迷光を相殺した＋１次反射光の光量に応じた信号を生成するために設けられる。加算器６４は、光検出装置１０の受光面１２が、受光領域Ｅにおいて受光した０次の＋１次反射光及び＋１次の＋１次反射光の一部の光量に応じた光電変換信号Ｅ(１)と、迷光の光量に応じた光電変換信号Ｅ(２)と、受光領域Ｇにおいて受光した０次の＋１次反射光及び−１次の＋１次反射光の一部の光量に応じた光電変換信号Ｇ(１)と、迷光の光量に応じた光電変換信号Ｇ(２)と、を加算する。
【００６５】
加算器６５は、光検出装置１０の受光面１２が、受光領域Ｆにおいて受光した０次の＋１次反射光及び＋１次の＋１次反射光の一部の光量に応じた光電変換信号Ｆ(１)と、迷光の光量に応じた光電変換信号Ｆ(２)と、受光領域Ｈにおいて受光した０次の＋１次反射光及び−１次の＋１次反射光の一部の光量に応じた光電変換信号Ｈ(１)と、迷光の光量に応じた光電変換信号Ｈ(２)と、を加算する。
【００６６】
減算器６６は、加算器６４の加算結果（光電変換信号Ｅ(１)＋光電変換信号Ｅ(２)＋光電変換信号Ｇ(１)＋光電変換信号Ｇ(２)）から、加算器６５の加算結果（光電変換信号Ｆ(１)＋光電変換信号Ｆ(２)＋光電変換信号Ｈ(１)＋光電変換信号Ｈ(２)）を減じる。
【００６７】
増幅器６７は、光検出装置１０の受光面１２における受光面Ｍが受光した０次の＋１次反射光の光量に応じた光電変換信号Ｍ(１)と迷光の光量に応じた光電変換信号Ｍ(２)とを、増幅率β１で増幅する。この増幅率β１は、受光面１２が受光領域Ｅ乃至Ｈにおいて受光した迷光を受光面Ｍが受光した迷光で相殺する値に設定される。以下、増幅率β１の設定の一例について説明すると、図４を示して前述したように、回折格子３を所定方向（例えば、図２紙面手前から奥方向）へ回転すると、受光面１２は、受光領域Ｅ乃至Ｈと受光面Ｍにおいて、迷光のみを受光することとなる。従って、このとき受光面１２と受光面Ｍが出力する光電変換信号は、迷光成分のみの光電変換信号Ｅ(２)乃至Ｈ(２)、Ｍ(２)となる。
【００６８】
そこで、増幅率β１は、
光電変換信号Ｅ(２)＋光電変換信号Ｇ(２)−光電変換信号Ｆ(２)−光電変換信号Ｈ(２)−光電変換信号Ｍ(２)・β１＝０
を満たす値に設定される。つまり、増幅率β１は、
（光電変換信号Ｅ(２)＋光電変換信号Ｇ(２)−光電変換信号Ｆ(２)−光電変換信号Ｈ(２)）／光電変換信号Ｍ(２)
に設定される。この結果、増幅器６７は、光電変換信号Ｍ(１)＋光電変換信号Ｍ(２)をβ１倍した、光電変換信号Ｍ(１)・β１＋（光電変換信号Ｅ(２)＋光電変換信号Ｇ(２)−光電変換信号Ｆ(２)−光電変換信号Ｈ(２)）を出力する。
【００６９】
減算器６８は、減算器６６の減算結果｛（光電変換信号Ｅ(１)＋光電変換信号Ｅ(２)＋光電変換信号Ｇ(１)＋光電変換信号Ｇ(２)）−（光電変換信号Ｆ(１)＋光電変換信号Ｆ(２)＋光電変換信号Ｈ(１)＋光電変換信号Ｈ(２)）｝から、増幅器６７の増幅結果｛光電変換信号Ｍ(１)・β１＋（光電変換信号Ｅ(２)＋光電変換信号Ｇ(２)−光電変換信号Ｆ(２)−光電変換信号Ｈ(２)）｝を減じる。この減算器６８の減算結果は、
光電変換信号Ｅ(１)＋光電変換信号Ｆ(１)−光電変換信号Ｇ(１)−光電変換信号Ｈ(１)−光電変換信号Ｍ(１)・β１
となる。この式が示すように、減算器６８の減算結果は、受光面１２が受光領域Ｅ乃至Ｈにおいて受光した迷光を、受光面Ｍが受光した迷光で相殺したものとなる。この結果、減算器６８は、フォーカスエラー信号の基となる、迷光を相殺した＋１次反射光の光量に応じた信号を出力することとなる。
【００７０】
加算器６９、７０、減算器７１、７３、増幅器７２は、フォーカスエラー信号の基となる、迷光を相殺した−１次反射光の光量に応じた信号を生成するために設けられる。加算器６９は、光検出装置１０の受光面１３が、受光領域Ｉにおいて受光した０次の−１次反射光及び＋１次の−１次反射光の一部の光量に応じた光電変換信号Ｉ(１)と、迷光の光量に応じた光電変換信号Ｉ(２)と、受光領域Ｋにおいて受光した０次の−１次反射光及び−１次の−１次反射光の一部の光量に応じた光電変換信号Ｋ(１)と、迷光の光量に応じた光電変換信号Ｋ(２)と、を加算する。
【００７１】
加算器７０は、光検出装置１０の受光面１３が、受光領域Ｊにおいて受光した０次の−１次反射光及び＋１次の−１次反射光の一部の光量に応じた光電変換信号Ｊ(１)と、迷光の光量に応じた光電変換信号Ｊ(２)と、受光領域Ｌにおいて受光した０次の−１次反射光及び−１次の−１次反射光の一部の光量に応じた光電変換信号Ｌ(１)と、迷光の光量に応じた光電変換信号Ｌ(２)と、を加算する。
【００７２】
減算器７１は、加算器６９の加算結果（光電変換信号Ｉ(１)＋光電変換信号Ｉ(２)＋光電変換信号Ｋ(１)＋光電変換信号Ｋ(２)）から、加算器７０の加算結果（光電変換信号Ｊ(１)＋光電変換信号Ｊ(２)＋光電変換信号Ｌ(１)＋光電変換信号Ｌ(２)）を減じる。
【００７３】
増幅器７２は、光検出装置１０の受光面１３における受光面Ｎが受光した０次の−１次反射光の光量に応じた光電変換信号Ｎ(１)と迷光の光量に応じた光電変換信号Ｎ(２)とを、増幅率β２で増幅する。この増幅率β２は、受光面１３が受光領域Ｉ乃至Ｌにおいて受光した迷光を受光面Ｎが受光した迷光で相殺する値に設定される。以下、増幅率β２の設定の一例について説明すると、図４を示して前述したように、回折格子３を所定方向（例えば、図２紙面手前から奥方向）へ回転すると、受光面１３は、受光領域Ｉ乃至Ｋと受光面Ｎにおいて、迷光のみを受光することとなる。従って、このとき受光面１３と受光面Ｎが出力する光電変換信号は、迷光成分のみの光電変換信号Ｉ(２)乃至Ｌ(２)、Ｎ(２)となる。
【００７４】
そこで、増幅率β２は、
光電変換信号Ｉ(２)＋光電変換信号Ｋ(２)−光電変換信号Ｊ(２)−光電変換信号Ｌ(２)−光電変換信号Ｎ(２)・β２＝０
を満たす値に設定される。つまり、増幅率β２は、
（光電変換信号Ｉ(２)＋光電変換信号Ｋ(２)−光電変換信号Ｊ(２)−光電変換信号Ｌ(２)）／光電変換信号Ｎ(２)
に設定される。この結果、増幅器７２は、光電変換信号Ｎ(１)＋光電変換信号Ｎ(２)をβ２倍した、光電変換信号Ｎ(１)・β２＋（光電変換信号Ｉ(２)＋光電変換信号Ｋ(２)−光電変換信号Ｊ(２)−光電変換信号Ｌ(２)）を出力する。
【００７５】
減算器７３は、減算器７１の減算結果{（光電変換信号Ｉ(１)＋光電変換信号Ｉ(２)＋光電変換信号Ｋ(１)＋光電変換信号Ｋ(２)）−（光電変換信号Ｊ(１)＋光電変換信号Ｊ(２)＋光電変換信号Ｌ(１)＋光電変換信号Ｌ(２)）}から、増幅器７２の増幅結果｛光電変換信号Ｎ(１)・β２＋（光電変換信号Ｉ(２)＋光電変換信号Ｋ(２)−光電変換信号Ｊ(２)−光電変換信号Ｌ(２)）｝を減じる。この減算器７３の減算結果は、
光電変換信号Ｉ(１)＋光電変換信号Ｋ(１)−光電変換信号Ｊ(１)−光電変換信号Ｌ(１)−光電変換信号Ｎ(１)・β２
となる。この式が示すように、減算器７３の減算結果は、受光面１３が受光領域Ｉ乃至Ｌにおいて受光した迷光を、受光面Ｎが受光した迷光で相殺したものとなる。この結果、減算器７３は、フォーカスエラー信号の基となる、迷光を相殺した−１次反射光の光量に応じた信号を出力することとなる。
【００７６】
加算器７４は、減算器６８の減算結果（光電変換信号Ｅ(１)＋光電変換信号Ｇ(１)−光電変換信号Ｆ(１)−光電変換信号Ｈ(１)−光電変換信号Ｍ(１)・β１）と、減算器７３の減算結果（光電変換信号Ｉ(１)＋光電変換信号Ｋ(１)−光電変換信号Ｊ(１)−光電変換信号Ｌ(１)−光電変換信号Ｎ(１)・β２）と、を加算する。この結果、加算器７４は、（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）−光電変換信号Ｍ(１)・β１−光電変換信号Ｎ(１)・β２を出力する。
【００７７】
直流信号生成器７７は、加算器７４の加算結果のうちの｛−光電変換信号Ｍ(１)・β１−光電変換信号Ｎ(１)・β２｝と相殺するための直流信号Ｖｂを生成して、減算器７８に出力する。直流信号Ｖｂについて詳述すると、光電変換信号Ｍ(１)は、前述したように、一定の０次の＋１次反射光の光量に応じた直流信号となる。同様に、光電変換信号Ｎ(１)は、前述したように、一定の０次の−１次反射光の光量に応じた直流信号となる。そこで、直流信号生成器７７は、直流信号である｛−光電変換信号Ｍ(１)・β１−光電変換信号Ｎ(１)・β２｝と等しい、直流信号Ｖｂを生成する。尚、上述の直流信号生成器７７が生成する直流信号Ｖｂは、増幅器６７の増幅率β１、増幅器７２の増幅率β２の設定後の実測値やシミュレーション等から得ることができる。
【００７８】
減算器７８は、加算器７４の加算結果（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）−光電変換信号Ｍ(１)・β１−光電変換信号Ｎ(１)・β２から、直流信号生成器７７からの直流信号Ｖｂを減じる。この結果、減算器７８の減算結果は、受光面Ｍが受光した０次の＋１次反射光成分と受光面Ｎが受光した０次の−１次反射光成分とが減じられた、（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）となる。
【００７９】
増幅器７５は、減算器７８の減算結果（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）を、増幅率Ｙで増幅する。この増幅率Ｙは、回折格子３の回折効率による０次光と±１次回折光の光強度の相違を調整するべく定まる値である。そして、増幅器７５は、Ｙ・｛（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）｝を、加算器７６に出力する。
【００８０】
加算器７６は、減算器６３の減算結果｛（光電変換信号Ａ＋光電変換信号Ｃ）−（光電変換信号Ｂ＋光電変換信号Ｄ）｝と、増幅器７５の増幅結果[Ｙ・｛（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）｝]とを加算することによって、フォーカスエラー信号を生成する。そして、このフォーカスエラー信号は、｛（光電変換信号Ａ＋光電変換信号Ｃ）−（光電変換信号Ｂ＋光電変換信号Ｄ）｝＋Ｙ・｛（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）｝となり、受光面１２、１３が受光領域Ｅ乃至Ｈ、Ｉ乃至Ｌにおいて受光した迷光を、受光面Ｍ、Ｎが受光した迷光で相殺した信号となる。つまり、光ディスク９０の前記対象の情報記録層（Ｌ０又はＬ１）のトラックに対する、０次光の位置ずれに正確に対応したフォーカスエラー信号が生成されることとなる。この結果、このフォーカスエラー信号に基づくフォーカス制御と前述のトラッキングエラー信号に基づくトラッキング制御を行うことにより、光ディスク９０の一の情報記録層（Ｌ０又はＬ１）に０次光を正確に集光することが可能となり、光ディスク９０からの良好な情報の再生又は記録を行うことが可能なる。
【００８１】
上述した実施形態によれば、受光面１２、１３が受光する他の情報記録層（Ｌ１又はＬ０）からの迷光を相殺することが可能となり、光ディスク９０の一の情報記録層（Ｌ０又はＬ１）に対して０次光を正確に集光させることができる。また、受光面１２、１３の一部に対して受光面Ｍ、Ｎを備えることから、光検出装置１０の大型化、コストアップ等を防止又は軽減することが可能となる。
【００８２】
また、受光面１２、１３が±１次の±１次反射光の一部を受光する領域以外に受光面Ｍ、Ｎを設けることによって、例えば差動プッシュプル法に基づくトラッキングエラー信号の検出に最も重要な±１次の±１次反射光の一部を、受光面Ｍ、Ｎが受光することを回避することが可能となる。この結果、差動プッシュプル法に基づく正確なトラッキングエラー信号を検出することが可能となり、光ディスク９０の一の情報記録層（Ｌ０又はＬ１）に対して０次光を正確に集光させることが可能となる。
【００８３】
また、受光面１２に対する受光面Ｍと受光面１３に対する受光面Ｎとをそれぞれ設けることにより、受光面１２が受光する他の情報記録層（Ｌ１又はＬ０）からの迷光の相殺と、受光面１３が受光する他の情報記録層からの迷光の相殺とを、それぞれ適切に行うことが可能となる。この結果、受光面１２、１３の受光結果に基づいてより正確なトラッキングエラー信号やフォーカスエラー信号を検出することが可能となり、光ディスク９０の一の情報記録層（Ｌ０又はＬ１）に対してより正確に０次光を集光することが可能となる。
【００８４】
＝＝＝本発明に係る光検出装置１０のその他の構成＝＝＝
以下、図１を適宜参照しつつ、図６を用いて、本発明に係る光検出装置１０のその他の構成について説明する。図６は、本発明に係る光検出装置１０が有する受光面１２乃至１４を示す図である。尚、図６に示す受光面１２乃至１４において、図１と同様の構成については、同一符号を付して説明を省略する。
【００８５】
受光面１４（第１受光面）は、受光領域Ｏ乃至Ｒと受光面Ｓ１（第３受光面）、Ｓ２（第３受光面）を有する。
【００８６】
受光領域Ｏ、Ｐは、受光領域Ｑ、Ｒとの分割方向が光ディスク９０の前記対象の情報記録層（Ｌ０又はＬ１）のトラックの接線方向と対応し、受光領域Ｏと受光領域Ｐとの分割方向は、光ディスク９０の径方向と対応している。そして、受光面１４は、受光領域Ｏ、Ｐにおいて、光ディスク９０の前記対象の情報記録層（Ｌ０又はＬ１）からの０次反射光のうち、０次の０次反射光、＋１次の０次反射光の一部（斜線部）を受光する。また、受光面１４は、受光領域Ｏ、Ｐにおいて、光ディスク９０の前記非対象の情報記録層（Ｌ１又はＬ０）からの迷光を受光する。
【００８７】
受光領域Ｑ、Ｒは、受光領域Ｏ、Ｐとの分割方向が光ディスク９０の前記対象の情報記録層（Ｌ０及びＬ１）のトラックの接線方向と対応し、受光領域Ｑと受光領域Ｒとの分割方向は、光ディスク９０の径方向と対応している。そして、受光面１４は、受光領域Ｑ、Ｒにおいて、光ディスク９０の前記対象の情報記録層（Ｌ０又はＬ１）からの０次反射光のうち、０次の０次反射光、−１次の０次反射光の一部（斜線部）を受光する。また、受光面１４は、受光領域Ｑ、Ｒにおいて、光ディスク９０の前記非対象の情報記録層（Ｌ１又はＬ０）からの迷光を受光する。
【００８８】
受光面Ｓ１、Ｓ２は、受光面１４が受光領域Ｏ乃至Ｒにおいて受光する迷光を、当該受光面Ｓ１、Ｓ２が受光する迷光で相殺するために設けられる。受光面Ｓ１、Ｓ２は、正方形形状の受光面１４の全受光領域において、０次反射光に非点収差が付与されることにより０次の０次反射光が変化（実線から破線への変化、又は、破線から実線への変化）する領域以外に設けられる。このため、受光面Ｓ１は、受光領域Ｏ、Ｒ間に、例えば台形形状で設けられる。詳述すると、台形形状の受光面Ｓ１の高さｈ１は、受光領域Ｏ、Ｒの境界線の長さｌ１を０次の０次反射光（実線）の半径より長い長さとするように設定される。また、台形形状の受光面Ｓ１の上辺の長さｍ１及び下辺の長さｍ２は、非点収差が付与されることによって変形する０次の０次反射光（破線）と交差しない長さで設定される。また、受光面Ｓ２は、受光領域Ｐ、Ｑ間に、例えば台形形状で設けられる。詳述すると、台形形状の受光面Ｓ２の高さｈ２は、受光領域Ｐ、Ｑの境界線の長さｌ２を０次の０次反射光（実線）の半径より長い長さとするように設定される。また、台形形状の受光面Ｓ２の上辺の長さｍ３及び下辺の長さｍ４は、非点収差が付与されることによって変形する０次の０次反射光（破線）と交差しない長さで設定される。そして、受光面Ｓ１、Ｓ２は、光ディスク９０の前記非対象の情報記録層（Ｌ１又はＬ０）からの迷光を受光する。
【００８９】
そして、受光面１４は、受光領域Ｏ乃至Ｒにおいて受光した０次反射光及び迷光の光量に応じた光電変換信号Ｏ乃至Ｒを生成して、後段の再生信号を生成する演算処理回路８０（後述の図７参照）に出力する。また、受光面Ｓ１、Ｓ２は、受光した迷光の光量に応じた光電変換信号Ｓ１、Ｓ２を生成して、後段の演算処理回路８０に出力する。
【００９０】
尚、光ディスク９０の前記対象の情報記録層（Ｌ０又はＬ１）のトラックに０次光が合焦及び追従している場合、受光面１４は図６に示すように０次反射光を受光するため、受光領域Ｏにおいて受光する０次の０次反射光及び＋１次の０次反射光の一部の光量と、受光領域Ｐにおいて受光する０次の０次反射光及び＋１次の０次反射光の一部の光量と、受光領域Ｑにおいて受光する０次の０次反射光及び−１次の０次反射光の一部の光量と、受光領域Ｒにおいて受光する０次の０次反射光及び−１次の０次反射光の一部の光量とは等しくなる。
【００９１】
＝＝＝本発明に係る光検出装置１０の受光結果に基づく迷光の相殺＝＝＝
以下、図６を適宜参照しつつ、図７を用いて、本発明に係る光検出装置１０の受光結果に基づく迷光の相殺について説明する。
【００９２】
＜＜再生信号の生成における迷光の相殺＞＞
図７は、本発明に係る光検出装置１０の受光結果に基づいて再生信号を生成する演算処理回路８０の全体構成の一例を示す回路図である。  
演算処理回路８０は、加算器８１乃至８３、８７、増幅器８４、減算器８５を有する。
【００９３】
加算器８１乃至８３は、迷光を含む０次反射光の光量に応じた再生信号を生成するために設けられる。加算器８１は、光検出装置１０の受光面１４が、受光領域Ｏにおいて受光した０次の０次反射光及び＋１次の０次反射光の一部、迷光の光量に応じた光電変換信号Ｏと、受光領域Ｐにおいて受光した０次の０次反射光及び＋１次の０次反射光の一部、迷光の光量に応じた光電変換信号Ｐと、を加算する。尚、以下、光電変換信号Ｏ、Ｐのうち、０次の０次反射光及び＋１次の０次反射光の一部の光量に応じた成分を光電変換信号Ｏ(１)、Ｐ(１)、迷光の光量に応じた成分を光電変換信号Ｏ(２)、Ｐ（２）とする。
【００９４】
加算器８２は、光検出装置１０の受光面１４が、受光領域Ｑにおいて受光した０次の０次反射光及び−１次の０次反射光の一部、迷光の光量に応じた光電変換信号Ｑと、受光領域Ｒにおいて受光した０次の０次反射光及び−１次の０次反射光の一部、迷光の光量に応じた光電変換信号Ｒと、を加算する。尚、以下、光電変換信号Ｑ、Ｒのうち、０次の０次反射光及び−１次の０次反射光の一部の光量に応じた成分を光電変換信号Ｑ(１)、Ｒ(１)、迷光の光量に応じた成分を光電変換信号Ｑ(２)、Ｒ(２)とする。
【００９５】
加算器８３は、加算器８１の加算結果（光電変換信号Ｏ(１)＋光電変換信号Ｏ(２)＋光電変換信号Ｐ(１)＋光電変換信号Ｐ(２)）と、加算器８２の加算結果（光電変換信号Ｑ(１)＋光電変換信号Ｑ(２)＋光電変換信号Ｒ(１)＋光電変換信号Ｒ(２)）と、を加算する。この結果、加算器８３は、迷光を含む０次反射光の光量に応じた再生信号（光電変換信号Ｏ(１)＋光電変換信号Ｏ(２)＋光電変換信号Ｐ(１)＋光電変換信号Ｐ(２)＋光電変換信号Ｑ(１)＋光電変換信号Ｑ(２)＋光電変換信号Ｒ(１)＋光電変換信号Ｒ(２)）を出力することとなる。
【００９６】
加算器８７は、光検出装置１０の受光面１４における受光面Ｓ１が受光した迷光の光量に応じた光電変換信号Ｓ１と、受光面Ｓ２が受光した迷光の光量に応じた光電変換信号Ｓ２と、を加算する。
【００９７】
増幅器８４は、加算器８７の加算結果（光電変換信号Ｓ１＋光電変換信号Ｓ２）を、増幅率γで増幅する。この増幅率γは、受光面１４が受光領域Ｏ乃至Ｒにおいて受光した迷光を、受光面Ｓ１、Ｓ２が受光した迷光で相殺する値に設定される。以下、増幅率γの設定の一例について説明すると、受光面１４の受光領域Ｏ乃至Ｒと受光面Ｓ１、Ｓ２において、迷光のみを受光させる。このとき受光面１４と受光面Ｓ１、Ｓ２が出力する光電変換信号は、迷光成分のみの光電変換信号Ｏ(２)乃至Ｒ(２)、Ｓ１、Ｓ２となる。
【００９８】
そこで、増幅率γは、
光電変換信号Ｏ(２)＋光電変換信号Ｐ(２)＋光電変換信号Ｑ(２)＋光電変換信号Ｒ(２)−（光電変換信号Ｓ１＋光電変換信号Ｓ２）・γ＝０
を満たす値に設定される。つまり、増幅率γは、
（光電変換信号Ｏ(２)＋光電変換信号Ｐ(２)＋光電変換信号Ｑ(２)＋光電変換信号Ｒ(２)）／（光電変換信号Ｓ１＋光電変換信号Ｓ２)
に設定される。この結果、増幅器８４は、光電変換信号Ｓ１＋光電変換信号Ｓ２をγ倍した、光電変換信号Ｏ(２)＋光電変換信号Ｐ(２)＋光電変換信号Ｑ(２)＋光電変換信号Ｒ(２)を出力する。
【００９９】
減算器８５は、加算器８３の加算結果（光電変換信号Ｏ(１)＋光電変換信号Ｏ(２)＋光電変換信号Ｐ(１)＋光電変換信号Ｐ(２)＋光電変換信号Ｑ(１)＋光電変換信号Ｑ(２)＋光電変換信号Ｒ(１)＋光電変換信号Ｒ(２)）から、増幅器８４の増幅結果（光電変換信号Ｏ(２)＋光電変換信号Ｐ(２)＋光電変換信号Ｑ(２)＋光電変換信号Ｒ(２)）を減じる。この減算器８５の減算結果は、
光電変換信号Ｏ(１)＋光電変換信号Ｐ(１)＋光電変換信号Ｑ(１)＋光電変換信号Ｒ(１)
となる。この式が示すように、減算器８５の減算結果は、受光面１４が受光領域Ｏ乃至Ｒにおいて受光した迷光を、受光面Ｓ１、Ｓ２が受光した迷光で相殺したものとなる。この結果、減算器８５は、迷光を相殺した０次反射光の光量に応じた再生信号を出力することとなる。この結果、光ディスク９０の前記対象の情報記録層（Ｌ０又はＬ１）に対する、良好な情報の再生又は記録が行われることとなる。
【０１００】
尚、上述した実施形態によれば、受光面１４の受光領域Ｏ乃至Ｒが受光した迷光を相殺するために、２つの受光面Ｓ１、Ｓ２を設けているが、これに限るものではない。例えば、図８に示すように、４つの受光面Ｓ１乃至Ｓ４を設け、当該受光面Ｓ１乃至Ｓ４が受光する迷光の光量に応じて増幅器８４の増幅率γの値を定め、受光領域Ｏ乃至Ｒが受光した迷光を相殺するように設けても良い。このように、受光領域Ｏ乃至Ｒが受光した迷光を相殺するための受光面の数は、増幅器８４の増幅率γの値を調整することで任意の数を設定することが可能である。
【０１０１】
また、受光面Ｓ１、Ｓ２の形状を台形としたが、これに限るものではない。０次反射光に非点収差が付与されることにより、０次の０次反射光が変化（実線から破線への変化、又は、破線から実線への変化）する領域以外であれば、受光面Ｓ１、Ｓ２の形状は任意の形状とすることが可能である。
【０１０２】
上述した実施形態によれば、受光面１４が受光する他の情報記録層からの迷光を相殺することが可能となり、受光面１４が受光する一の情報記録層（Ｌ０又はＬ１）からの０次の０次反射光に基づいた再生信号に対するジッタの発生等を軽減又は防止することが可能となる。この結果、光ディスク９０からの良好な情報の再生又は記録を行うことが可能となる。また、受光面１４の一部に対して受光面Ｓ１、Ｓ２を備えることから、光検出装置１０の大型化、コストアップ等を防止又は軽減することが可能となる。
【０１０３】
また、０次の０次反射光が変化する領域以外に受光面Ｓ１、Ｓ２を設けることにより、当該受光面Ｓ１、Ｓ２が仮に０次の０次反射光を受光した場合の再生信号に対する影響を防止することが可能となる。つまり、０次の０次反射光が変化する領域以外に受光面Ｓ１、Ｓ２を設けることにより、より正確な再生信号を得ることが可能となる。
【０１０４】
以上、本発明に係る光検出装置について説明したが、上記の説明は、本発明の理解を容易とするためのものであり、本発明を限定するものではない。本発明は、その趣旨を逸脱することなく、変更、改良され得る。
【０１０５】
＝＝＝光検出装置１０のその他の形態＝＝＝
＜＜第１のその他の形態＞＞
上述の実施形態においては、図１（図６）に示す受光面Ｍ、受光面Ｎを、略長方形状に設けているが、これに限るものではない。例えば図９に示すように、楕円形状としても良い。図９に示す楕円形状の受光面Ｍは、最大長の直径が受光領域Ｅ、Ｆと受光領域Ｇ、Ｈとの分割方向（光ディスク９０の情報記録層（Ｌ０又はＬ１）のトラックの接線方向に対応）上に設けられ、最小長の直径が受光領域Ｅと受光領域Ｆ、受光領域Ｇと受光領域Ｈの分割方向上に設けられる。また、最小長の直径は、受光領域Ｅ、Ｆが受光するべき＋１次の＋１次反射光の一部及び受光領域Ｇ、Ｈが受光するべき−１次の＋１次反射光の一部の受光を回避する長さで設けられる。また、図９に示す楕円形状の受光面Ｎは、最大長の直径が受光領域Ｉ、Ｊと受光領域Ｋ、Ｌとの分割方向（光ディスク９０の情報記録層（Ｌ０又はＬ１）のトラックの接線方向に対応）上に設けられ、最小長の直径が受光領域Ｉと受光領域Ｊ、受光領域Ｋと受光領域Ｌの分割方向上に設けられる。また、最小長の直径は、受光領域Ｉ、Ｊが受光するべき＋１次の−１次反射光の一部及び受光領域Ｋ、Ｌが受光するべき−１次の−１次反射光の一部の受光を回避する長さで設けられる。このような楕円形状の受光面Ｍ、Ｎにおいても、同様の効果を奏することが可能である。また、楕円形状に限らず、受光面Ｍは、受光領域Ｅ、Ｆと受光領域Ｇ、Ｈとの間に設けられ、且つ、受光領域Ｅ、Ｆが受光するべき＋１次の＋１次反射光の一部及び受光領域Ｇ、Ｈが受光するべき−１次の＋１次反射光の一部の受光を回避する形状であれば良い。また、受光面Ｎは、受光領域Ｉ、Ｊと受光領域Ｋ、Ｌとの間に設けられ、且つ、受光領域Ｉ、Ｊが受光するべき＋１次の−１次反射光の一部及び受光領域Ｋ、Ｌが受光するべき−１次の−１次反射光の一部の受光を回避する形状であれば良い。
【０１０６】
＜＜第２のその他の形態＞＞
また、例えば図１０に示すように、受光面１２、１３が±１次反射光を受光する領域以外に受光面Ｍ、Ｎを設けても良い。
【０１０７】
図１０に示す受光面Ｍは、受光領域Ｆ、Ｇが受光領域Ｅ、Ｈと接する側の反対側に略長方形状に設けられる。詳述すると、受光面Ｍは、長手方向が受光領域Ｆ、Ｇと接し、長手方向と直交する幅方向が、受光領域Ｆ、Ｇが受光すべき０次の＋１次反射光及び±１次の＋１次反射光の受光を回避する長さで設けられる。また、受光面Ｍは、長手方向が光ディスク９０の径方向と対応し、受光領域Ｅ、Ｆと受光領域Ｇ、Ｈの分割方向と直交する幅方向が光ディスク９０の前記対象の情報記録層（Ｌ０又はＬ１）のトラックの接線方向に対応している。また、図１０に示す受光面Ｎは、受光領域Ｊ、Ｋが受光領域Ｉ、Ｌと接する側の反対側に略長方形状に設けられる。詳述すると、受光面Ｎは、長手方向が受光領域Ｊ、Ｋと接し、長手方向と直交する幅方向が、受光領域Ｊ、Ｋが受光すべき０次の−１次反射光及び±１次の−１次反射光の受光を回避する長さで設けられる。また、受光面Ｎは、長手方向が光ディスク９０の径方向と対応し、受光領域Ｉ、Ｊと受光領域Ｋ、Ｌの分割方向と直交する幅方向が光ディスク９０の前記対象の情報記録層（Ｌ０又はＬ１）のトラックの接線方向に対応している。尚、受光面Ｍ、Ｎは、受光領域Ｆ、Ｇ、Ｉ、Ｌ側に設けても良い。
【０１０８】
このように、受光面１２、１３が±１次反射光を受光する領域以外に受光面Ｍ、Ｎを設けることにより、増幅器５５（図３）の増幅率Ｘ及び増幅器７５（図５）の増幅率Ｙを、従来の０次光と±１次回折光の光量比を等しくする値に設定することが可能となる。詳述すると、受光面１２、１３が±１次反射光を受光する領域以外に受光面Ｍ、Ｎを設けると、受光面Ｍ、Ｎの受光結果に基づいて生成する光電変換信号Ｍ、Ｎは、迷光成分のみの光電変換信号Ｍ(２)、Ｎ(２)となる。このため、減算器４８の減算結果は、光電変換信号Ｅ(１)＋光電変換信号Ｆ(１)−光電変換信号Ｇ(１)−光電変換信号Ｈ(１)となる。また、減算器５３の減算結果は、光電変換信号Ｉ(１)＋光電変換信号Ｊ(１)−光電変換信号Ｋ(１)−光電変換信号Ｌ(１)となる。そして、加算器５４の加算結果は、（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）となる。この結果、増幅器５５の増幅率Ｘは、前述のように−光電変換信号Ｍ(１)・α１−光電変換信号Ｎ(１)・α２を勘案することなく、０次光と±１次回折光の光量比を等しくする値に設定すれば良いこととなる。つまり、増幅器５５の増幅率Ｘに、前述のＸ１を設定すれば良いことなる。この結果、受光面１２、１３が±１次反射光を受光する領域以外に受光面Ｍ、Ｎを設けることにより、増幅器５５の増幅率Ｘをより容易に設定することが可能となる。
【０１０９】
同様に、減算器６８の減算結果は、光電変換信号Ｅ(１)＋光電変換信号Ｇ(１)−光電変換信号Ｆ(１)−光電変換信号Ｈ(１)となる。また、減算器７３の減算結果は、光電変換信号Ｉ(１)＋光電変換信号Ｋ(１)−光電変換信号Ｊ(１)−光電変換信号Ｌ(１)となる。そして、加算器７４の加算結果は、（光電変換信号Ｅ(１)＋光電変換信号Ｇ(１)）−（光電変換信号Ｆ(１)＋光電変換信号Ｈ(１)）＋（光電変換信号Ｉ(１)＋光電変換信号Ｋ(１)）−（光電変換信号Ｊ(１)＋光電変換信号Ｌ(１)）となる。この結果、増幅器７５の増幅率Ｙは、前述のように−光電変換信号Ｍ(１)・β１−光電変換信号Ｎ(１)・β２を勘案することなく、０次光と±１次回折光の光量比を等しくする値に設定すれば良いこととなる。つまり。増幅器７５の増幅率Ｙに、上述のＹ１を設定すれば良いことなる。この結果、受光面１２、１３が±１次反射光を受光する領域以外に受光面Ｍ、Ｎを設けることにより、増幅器７５の増幅率Ｙをより容易に設定することが可能となる。
【０１１０】
上述の第２のその他の形態によれば、受光面１２、１３が±１次反射光を受光する領域以外に受光面Ｍ、Ｎを設けることによって、受光面Ｍ、Ｎは、他の情報記録層からの迷光のみを受光することとなる。この結果、受光面１２、１３の受光結果に基づくトラッキングエラー信号やフォーカスエラー信号の検出において、受光面Ｍ、Ｎが±１次反射光を受光することによる補正をすることなく、トラッキングエラー信号やフォーカスエラー信号を検出することが可能となる。
【０１１１】
尚、上述の実施形態及び第１、第２のその他の形態においては、差動プッシュプル法に基づくトラッキングエラー信号の検出について説明したがこれに限るものではない。例えば３ビーム法に基づくトラッキングエラー信号の検出も可能である。
【０１１２】
＜＜第３のその他の形態＞＞
また、図１１に示すように、受光領域Ｅ、Ｆに対する受光面Ｍ１、受光領域Ｇ、Ｈに対する受光面Ｍ２、受光領域Ｉ、Ｊに対する受光面Ｎ１、受光領域Ｋ、Ｌに対する受光面Ｎ２をそれぞれ設けて良い。この受光面Ｍ１、Ｍ２、Ｎ１、Ｎ２は、迷光の光強度分布が、迷光の中心が最も光強度が強く、迷光の中心から離れるにつれて光強度が弱くなる特性に対応するために設けられるものである。
【０１１３】
受光面Ｍ１は、受光面１２が受光領域Ｅ、Ｆにおいて受光する迷光を、当該受光面Ｍ１が受光する迷光で相殺するために設けられる。また、受光面Ｍ２は、受光面１２が受光領域Ｇ、Ｈにおいて受光する迷光を、当該受光面Ｍ２が受光する迷光で相殺するために設けられる。受光面Ｍ１、Ｍ２は、図１に示す受光面Ｍを、光ディスク９０の前記対象の情報記録層（Ｌ０又はＬ１）のトラックに０次光が合焦しているときの０次の＋１次反射光の中心を通る、当該トラックの接線方向に対応する分割方向に分割したものである。そして、受光面Ｍ１は、光ディスク９０の前記対象の情報記録層（Ｌ０又はＬ１）からの０次の＋１次反射光、及び、光ディスク９０の前記非対象の情報記録層（Ｌ１又はＬ０）からの迷光を受光する。また、受光面Ｍ２は、光ディスク９０の前記対象の情報記録層（Ｌ０又はＬ１）からの０次の＋１次反射光、及び、光ディスク９０の前記非対象の情報記録層（Ｌ１又はＬ０）からの迷光を受光する。
【０１１４】
また、受光面Ｎ１は、受光面１３が受光領域Ｉ、Ｊにおいて受光する迷光を、当該受光面Ｎ１が受光する迷光で相殺するために設けられる。また、受光面Ｎ２は、受光面１３が受光領域Ｋ、Ｌにおいて受光する迷光を、当該受光面Ｎ２が受光する迷光で相殺するために設けられる。受光面Ｎ１、Ｎ２は、図１に示す受光面Ｎを、光ディスク９０の前記対象の情報記録層（Ｌ０又はＬ１）のトラックに０次光が合焦しているときの０次の−１次反射光の中心を通る、当該トラックの接線方向に対応する分割方向に分割したものである。そして、受光面Ｎ１は、光ディスク９０の前記対象の情報記録層（Ｌ０又はＬ１）からの０次の−１次反射光、及び、光ディスク９０の前記非対象の情報記録層（Ｌ１又はＬ０）からの迷光を受光する。また、受光面Ｎ２は、光ディスク９０の前記対象の情報記録層（Ｌ０又はＬ１）からの０次の−１次反射光、及び、光ディスク９０の前記非対象の情報記録層（Ｌ１又はＬ０）からの迷光を受光する。
【０１１５】
ところで、受光面Ｍ１が受光する迷光の光強度は、受光面Ｍ１が受光領域Ｅ、Ｆ側に設けられるため、受光面Ｍ２が受光する迷光の光強度よりも、受光領域Ｅ、Ｆにおいて受光する迷光の光強度により近似したものとなる。また、受光面Ｍ２が受光する迷光の光強度は、受光面Ｍ２が受光領域Ｇ、Ｈ側に設けられるため、受光面Ｍ１が受光する迷光の光強度よりも、受光領域Ｇ、Ｈにおいて受光する迷光の光強度により近似したものとなる。また、受光面Ｎ１が受光する迷光の光強度は、受光面Ｎ１が受光領域Ｉ、Ｊ側に設けられるため、受光面Ｎ２が受光する迷光の光強度よりも、受光領域Ｉ、Ｊにおいて受光する迷光の光強度により近似したものとなる。また、受光面Ｎ２が受光する迷光の光強度は、受光面Ｎ２が受光領域Ｋ、ＬＨ側に設けられるため、受光面Ｎ１が受光する迷光の光強度よりも、受光領域Ｋ、Ｌにおいて受光する迷光の光強度により近似したものとなる。そこで、この受光面Ｍ１が受光する迷光の光強度と受光面１２が受光領域Ｅ、Ｆにおいて受光する迷光の光強度との近似、受光面Ｍ２が受光する迷光の光強度と受光面１２が受光領域Ｇ、Ｈにおいて受光する迷光の光強度との近似を利用して、受光面１２が受光領域Ｅ、Ｆにおいて受光する迷光を、受光面Ｍ１が受光する迷光で相殺し、受光面１２が受光領域Ｇ、Ｈにおいて受光する迷光を、受光面Ｍ２が受光する迷光で相殺する。また、受光面Ｎ１が受光する迷光の光強度と受光面１３が受光領域Ｉ、Ｊにおいて受光する迷光の光強度との近似、受光面Ｎ２が受光する迷光の光強度と受光面１３が受光領域Ｋ、Ｌにおいて受光する迷光の光強度との近似を利用して、受光面１３が受光領域Ｉ、Ｊにおいて受光する迷光を、受光面Ｎ１が受光する迷光で相殺し、受光面１３が受光領域Ｋ、Ｌにおいて受光する迷光を、受光面Ｎ２が受光する迷光で相殺する。以下、図１２を参照しつつ、一例として、トラッキングエラー信号の生成における迷光の相殺について説明する。
【０１１６】
図１２は、第３のその他の形態に係る光検出装置１０の受光結果に基づいてトラッキングエラー信号を生成する演算処理回路２０の全体構成の一例を示す回路図である。尚、図１２に示す演算処理回路２０の構成において、図３に示す演算処理回路４０と同様の構成については、同一符号を付して説明を省略する。
【０１１７】
演算処理回路２０は、加算器２１、２４、２８、３１、３５、４１、４２、減算器２３、２６、２７、３０、３３、３４、３７、３９、４３、増幅器２２、２５、２９、３２、３６、直流信号生成器３８を有する。
【０１１８】
加算器２１、２４、増幅器２２、２５、減算器２３、２６、２７は、トラッキングエラー信号の基となる、迷光を相殺した＋１次反射光の光量に応じた信号を生成するために設けられる。
【０１１９】
加算器２１は、光検出装置１０の受光面１２が、受光領域Ｅにおいて受光した０次の＋１次反射光及び＋１次の＋１次反射光の一部の光量に応じた光電変換信号Ｅ(１)と、迷光の光量に応じた光電変換信号Ｅ(２)と、受光領域Ｆにおいて受光した０次の＋１次反射光及び＋１次の＋１次反射光の一部の光量に応じた光電変換信号Ｆ(１)と、迷光の光量に応じた光電変換信号Ｆ(２)と、を加算する。
【０１２０】
増幅器２２は、光検出装置１０の受光面１２における受光面Ｍ１が受光した０次の＋１次反射光及び迷光の光量に応じた光電変換信号Ｍ１を、増幅率α３で増幅する。尚、以下、光電変換信号Ｍ１のうち、０次の＋１次反射光の光量に応じた成分を光電変換信号Ｍ１(１)、迷光の光量に応じた成分を光電変換信号Ｍ１(２)とする。この増幅率α３は、受光面１２が受光領域Ｅ、Ｆにおいて受光した迷光を受光面Ｍ１が受光した迷光で相殺する値に設定される。以下、増幅率α３の設定の一例について説明すると、回折格子３を所定方向（例えば、図２紙面手前から奥方向）へ回転すると、受光面１２は、受光領域Ｅ、Ｆと受光面Ｍ１において、迷光のみを受光することとなる。従って、このとき受光面１２と受光面Ｍ１が出力する光電変換信号は、迷光成分のみの光電変換信号Ｅ(２)、Ｆ(２)、Ｍ１(２)となる。
【０１２１】
そこで、増幅率α３は、
光電変換信号Ｅ(２)＋光電変換信号Ｆ(２)−光電変換信号Ｍ１(２)・α３＝０
を満たす値に設定される。つまり、増幅率α３は、
（光電変換信号Ｅ(２)＋光電変換信号Ｆ(２)）／光電変換信号Ｍ１(２)
に設定される。この結果、増幅器２２は、光電変換信号Ｍ１(１)＋光電変換信号Ｍ１(２)をα３倍した、光電変換信号Ｍ１(１)・α３＋（光電変換信号Ｅ(２)＋光電変換信号Ｆ(２)）を出力する。
【０１２２】
減算器２３は、加算器２１の加算結果（光電変換信号Ｅ(１)＋光電変換信号Ｅ(２)＋光電変換信号Ｆ(１)＋光電変換信号Ｆ(２)）から、増幅器２２の増幅結果｛Ｍ１(１)・α３＋（光電変換信号Ｅ(２)＋光電変換信号Ｆ(２)）｝を減じる。この減算器２３の減算結果は、
光電変換信号Ｅ(１)＋光電変換信号Ｆ(１)−光電変換信号Ｍ１(１)・α３
となる。この式が示すように、減算器２３の減算結果は、受光面１２が受光領域Ｅ、Ｆにおいて受光する迷光を、受光面Ｍ１が受光する迷光で相殺したものとなる。
【０１２３】
加算器２４は、光検出装置１０の受光面１２が、受光領域Ｇにおいて受光した０次の＋１次反射光及び−１次の＋１次反射光の一部の光量に応じた光電変換信号Ｇ(１)と、迷光の光量に応じた光電変換信号Ｇ(２)と、受光領域Ｈにおいて受光した０次の＋１次反射光及び−１次の＋１次反射光の一部の光量に応じた光電変換信号Ｈ(１)と、迷光の光量に応じた光電変換信号Ｈ(２)と、を加算する。
【０１２４】
増幅器２５は、光検出装置１０の受光面１２における受光面Ｍ２が受光した０次の＋１次反射光及び迷光の光量に応じた光電変換信号Ｍ２を、増幅率α４で増幅する。尚、以下、光電変換信号Ｍ２のうち、０次の＋１次反射光の光量に応じた成分を光電変換信号Ｍ２(１)、迷光の光量に応じた成分を光電変換信号Ｍ２(２)とする。この増幅率α４は、受光面１２が受光領域Ｇ、Ｈにおいて受光した迷光を受光面Ｍ２が受光した迷光で相殺する値に設定される。以下、増幅率α４の設定の一例について説明すると、回折格子３を所定方向（例えば、図２紙面手前から奥方向）へ回転すると、受光面１２は、受光領域Ｇ、Ｈと受光面Ｍ２において、迷光のみを受光することとなる。従って、このとき受光面１２と受光面Ｍ２が出力する光電変換信号は、迷光成分のみの光電変換信号Ｇ(２)、Ｈ(２)、Ｍ２(２)となる。
【０１２５】
そこで、増幅率α４は、
光電変換信号Ｇ(２)＋光電変換信号Ｈ(２)−光電変換信号Ｍ２(２)・α４＝０
を満たす値に設定される。つまり、増幅率α４は、
（光電変換信号Ｇ(２)＋光電変換信号Ｈ(２)）／光電変換信号Ｍ２(２)
に設定される。この結果、増幅器２５は、光電変換信号Ｍ２(１)＋光電変換信号Ｍ２(２)をα４倍した、光電変換信号Ｍ２(１)・α４＋（光電変換信号Ｇ(２)＋光電変換信号Ｈ(２)）を出力する。
【０１２６】
減算器２６は、加算器２４の加算結果（光電変換信号Ｇ(１)＋光電変換信号Ｇ(２)＋光電変換信号Ｈ(１)＋光電変換信号Ｈ(２)）から、増幅器２５の増幅結果｛Ｍ２(１)・α４＋（光電変換信号Ｇ(２)＋光電変換信号Ｈ(２)）｝を減じる。この減算器２６の減算結果は、
光電変換信号Ｇ(１)＋光電変換信号Ｈ(１)−光電変換信号Ｍ２(１)・α４
となる。この式が示すように、減算器２６の減算結果は、受光面１２が受光領域Ｇ、Ｈにおいて受光する迷光を、受光面Ｍ２が受光する迷光で相殺したものとなる。
【０１２７】
減算器２７は、減算器２３の減算結果（光電変換信号Ｅ(１)＋光電変換信号Ｆ(１)−光電変換信号Ｍ１(１)・α３）から、減算器２６の減算結果（光電変換信号Ｇ(１)＋光電変換信号Ｈ(１)−光電変換信号Ｍ２(１)・α４）を減算する。この減算器２７の減算結果は、
光電変換信号Ｅ(１)＋光電変換信号Ｆ(１)−光電変換信号Ｇ(１)−光電変換信号Ｈ(１)−光電変換信号Ｍ１(１)・α３＋光電変換信号Ｍ２(１)・α４
となる。この式が示すように、減算器４８は、トラッキングエラー信号の基となる、迷光を相殺した＋１次反射光の光量に応じた信号を出力することとなる。
【０１２８】
加算器２８、３１、増幅器２９、３２、減算器３０、３３、３４は、トラッキングエラー信号の基となる、迷光を相殺した−１次反射光の光量に応じた信号を生成するために設けられる。
【０１２９】
加算器２８は、光検出装置１０の受光面１３が、受光領域Ｉにおいて受光した０次の−１次反射光及び＋１次の−１次反射光の一部の光量に応じた光電変換信号Ｉ(１)と、迷光の光量に応じた光電変換信号Ｉ(２)と、受光領域Ｊにおいて受光した０次の−１次反射光及び＋１次の−１次反射光の一部の光量に応じた光電変換信号Ｊ(１)と、迷光の光量に応じた光電変換信号Ｊ(２)と、を加算する。
【０１３０】
増幅器２９は、光検出装置１０の受光面１３における受光面Ｎ１が受光した０次の−１次反射光及び迷光の光量に応じた光電変換信号Ｎ１を、増幅率α５で増幅する。尚、以下、光電変換信号Ｎ１のうち、０次の−１次反射光の光量に応じた成分を光電変換信号Ｎ１(１)、迷光の光量に応じた成分を光電変換信号Ｎ１(２)とする。この増幅率α５は、受光面１３が受光領域Ｉ、Ｊにおいて受光した迷光を受光面Ｎ１で受光した迷光で相殺する値に設定される。以下、増幅率α５の設定の一例について説明すると、回折格子３を所定方向（例えば、図２紙面手前から奥方向）へ回転すると、受光面１３は、受光領域Ｉ、Ｊと受光面Ｎ１において、迷光のみを受光することとなる。従って、このとき受光面１３と受光面Ｎ１が出力する光電変換信号は、迷光成分のみの光電変換信号Ｉ(２)、Ｊ(２)、Ｎ１(２)となる。
【０１３１】
そこで、増幅率α５は、
光電変換信号Ｉ(２)＋光電変換信号Ｊ(２)−光電変換信号Ｎ１(２)・α５＝０
を満たす値に設定される。つまり、増幅率α５は、
（光電変換信号Ｉ(２)＋光電変換信号Ｊ(２)）／光電変換信号Ｎ１(２)
に設定される。この結果、増幅器２９は、光電変換信号Ｎ１(１)＋光電変換信号Ｎ１(２)をα５倍した、光電変換信号Ｎ１(１)・α５＋（光電変換信号Ｉ(２)＋光電変換信号Ｊ(２)）を出力する。
【０１３２】
減算器３０は、加算器２８の加算結果（光電変換信号Ｉ(１)＋光電変換信号Ｉ(２)＋光電変換信号Ｊ(１)＋光電変換信号Ｊ(２)）から、増幅器２９の増幅結果{Ｎ１(１)・α５＋（光電変換信号Ｉ(２)＋光電変換信号Ｊ(２)）}を減じる。この減算器３０の減算結果は、
光電変換信号Ｉ(１)＋光電変換信号Ｊ(１)−光電変換信号Ｎ１(１)・α５
となる。この式が示すように、減算器３０の減算結果は、受光面１３が受光領域Ｉ、Ｊにおいて受光する迷光を、受光面Ｎ１が受光した迷光で相殺したものとなる。
【０１３３】
加算器３１は、光検出装置１０の受光面１３が、受光領域Ｋにおいて受光した０次の−１次反射光及び−１次の−１次反射光の一部の光量に応じた光電変換信号Ｋ(１)と、迷光の光量に応じた光電変換信号Ｋ(２)と、受光領域Ｌにおいて受光した０次の−１次反射光及び−１次の−１次反射光の一部の光量に応じた光電変換信号Ｋ(１)と、迷光の光量に応じた光電変換信号Ｌ(２)と、を加算する。
【０１３４】
増幅器３２は、光検出装置１０の受光面１３における受光面Ｎ２が受光した０次の−１次反射光及び迷光の光量に応じた光電変換信号Ｎ２を、増幅率α６で増幅する。尚、以下、光電変換信号Ｎ２のうち、０次の−１次反射光の光量に応じた成分を光電変換信号Ｎ２(１)、迷光の光量に応じた成分を光電変換信号Ｎ２(２)とする。この増幅率α６は、受光面１３が受光領域Ｋ、Ｌにおいて受光した迷光を受光面Ｎ２で受光した迷光で相殺する値に設定される。以下、増幅率α６の設定の一例について説明すると、回折格子３を所定方向（例えば、図２紙面手前から奥方向）へ回転すると、受光面１３は、受光領域Ｋ、Ｌと受光面Ｎ２において、迷光のみを受光することとなる。従って、このとき受光面１３と受光面Ｎ２が出力する光電変換信号は、迷光成分のみの光電変換信号Ｋ(２)、Ｌ(２)、Ｎ２(２)となる。
【０１３５】
そこで、増幅率α６は、
光電変換信号Ｋ(２)＋光電変換信号Ｌ(２)−光電変換信号Ｎ２(２)・α６＝０
を満たす値に設定される。つまり、増幅率α６は、
（光電変換信号Ｋ(２)＋光電変換信号Ｌ(２)）／光電変換信号Ｎ２(２)
に設定される。この結果、増幅器３２は、光電変換信号Ｎ２(１)＋光電変換信号Ｎ２(２)をα６倍した、光電変換信号Ｎ２(１)・α６＋（光電変換信号Ｋ(２)＋光電変換信号Ｌ(２)）を出力する。
【０１３６】
減算器３３は、加算器３１の加算結果（光電変換信号Ｋ(１)＋光電変換信号Ｋ(２)＋光電変換信号Ｌ(１)＋光電変換信号Ｌ(２)）から、増幅器３２の増幅結果｛Ｎ２(１)・α６＋（光電変換信号Ｋ(２)＋光電変換信号Ｌ(２)）｝を減じる。この減算器３３の減算結果は、
光電変換信号Ｋ(１)＋光電変換信号Ｌ(１)−光電変換信号Ｎ２(１)・α６
となる。この式が示すように、減算器３３の減算結果は、受光面１３が受光領域Ｋ、Ｌにおいて受光する迷光を、受光面Ｎ２が受光する迷光で相殺したものとなる。
【０１３７】
減算器３４は、減算器３０の減算結果（光電変換信号Ｉ(１)＋光電変換信号Ｊ(１)−光電変換信号Ｎ１(１)・α５）から、減算器３３の減算結果（光電変換信号Ｋ(１)＋光電変換信号Ｌ(１)−光電変換信号Ｎ２(１)・α６）を減算する。この減算器３４の減算結果は、
光電変換信号Ｉ(１)＋光電変換信号Ｊ(１)−光電変換信号Ｋ(１)−光電変換信号Ｌ(１)−光電変換信号Ｎ１(１)・α５＋光電変換信号Ｎ２(１)・α６
となる。この式が示すように、減算器３４は、トラッキングエラー信号の基となる、迷光を相殺した−１次反射光の光量に応じた信号を出力することとなる。
【０１３８】
加算器３５は、減算器２７の減算結果（光電変換信号Ｅ(１)＋光電変換信号Ｆ(１)−光電変換信号Ｇ(１)−光電変換信号Ｈ(１)−光電変換信号Ｍ１(１)・α３＋光電変換信号Ｍ２(１)・α４）と、減算器３４の減算結果（光電変換信号Ｉ(１)＋光電変換信号Ｊ(１)−光電変換信号Ｋ(１)−光電変換信号Ｌ(１)−光電変換信号Ｎ１(１)・α５＋光電変換信号Ｎ２(１)・α６）と、を加算する。この結果、加算器３５は、（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）−光電変換信号Ｍ１(１)・α３＋光電変換信号Ｍ２(１)・α４−光電変換信号Ｎ１(１)・α５＋光電変換信号Ｎ２(１)・α６を出力する。
【０１３９】
直流信号生成器３８は、加算器３５の加算結果のうちの｛−光電変換信号Ｍ１(１)・α３＋光電変換信号Ｍ２(１)・α４−光電変換信号Ｎ１(１)・α５＋光電変換信号Ｎ２(１)・α６｝と相殺するための直流信号Ｖｃを生成して、減算器３９に出力する。直流信号Ｖｃについて詳述すると、光電変換信号Ｍ１(１)は、受光面Ｍ１が受光する０次の＋１次反射光及び迷光のうちの迷光成分を除いた、０次の＋１次反射光の光量に応じた信号である。そして、この光電変換信号Ｍ１(１)は、＋１次回折光が光ディスク９０の前記対象の情報記録層（Ｌ０又はＬ１）のトラックを横断しているか否かに関わらず、０次の＋１次反射光の光量が一定となるため、信号成分が変化しない直流信号となる。同様に、光電変換信号Ｍ２(１)は、受光面Ｍ２が受光する０次の＋１次反射光及び迷光のうちの迷光成分を除いた、０次の＋１次反射光の光量に応じた信号である。そして、この光電変換信号Ｍ２(１)は、＋１次回折光が光ディスク９０の前記対象の情報記録層（Ｌ０又はＬ１）のトラックを横断しているか否かに関わらず、０次の＋１次反射光の光量が一定となるため、信号成分が変化しない直流信号となる。また、光電変換信号Ｎ１(１)は、受光面Ｎ１が受光する０次の−１次反射光及び迷光のうちの迷光成分を除いた、０次の−１次反射光の光量に応じた信号である。そして、この光電変換信号Ｎ１(１)は、−１次回折光が光ディスク９０の前記対象の情報記録層（Ｌ０又はＬ１）のトラックを横断しているか否かに関わらず、０次の−１次反射光の光量が一定となるため、信号成分が変化しない直流信号となる。同様に、光電変換信号Ｎ２(１)は、受光面Ｎ２が受光する０次の−１次反射光及び迷光のうちの迷光成分を除いた、０次の−１次反射光の光量に応じた信号である。そして、この光電変換信号Ｎ２(１)は、−１次回折光が光ディスク９０の前記対象の情報記録層（Ｌ０又はＬ１）のトラックを横断しているか否かに関わらず、０次の−１次反射光の光量が一定となるため、信号成分が変化しない直流信号となる。そこで、直流信号生成器３８は、直流信号である｛−光電変換信号Ｍ１(１)・α３＋光電変換信号Ｍ２(１)・α４−光電変換信号Ｎ１(１)・α５＋光電変換信号Ｎ２(１)・α６｝と等しい、直流信号Ｖｃを生成する。尚、上述の直流信号生成器３８が生成する直流信号Ｖｃは、増幅器２２の増幅率α３、増幅器２５の増幅率α４、増幅器２９の増幅率α５、増幅器３２の増幅率α６の設定後の実測値やシミュレーション等から得ることができる。
【０１４０】
減算器３９は、加算器３５の加算結果｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）−光電変換信号Ｍ１(１)・α３＋光電変換信号Ｍ２(１)・α４−光電変換信号Ｎ１(１)・α５＋光電変換信号Ｎ２(１)・α６｝から、直流信号生成器３８からの直流信号Ｖｃを減じる。この結果、減算器３９の減算結果は、受光面Ｍ１、Ｍ２が受光した０次の＋１次反射光と受光面Ｎ１、Ｎ２が受光した０次の−１次反射光とが減じられた、（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）となる。
【０１４１】
増幅器３６は、減算器３９の減算結果（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）を、増幅率Ｘで増幅する。この増幅率Ｘは、回折格子３の回折効率による０次光と±１次回折光の光強度の相違を調整するべく定まる値である。そして、増幅器３６は、Ｘ・｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）｝を、減算器５６に出力する。
【０１４２】
減算器３７は、減算器４３の減算結果｛（光電変換信号Ａ＋光電変換信号Ｂ）−（光電変換信号Ｃ＋光電変換信号Ｄ）｝から、増幅器３６の増幅結果[Ｘ・｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）｝]を減算することによって、トラッキングエラー信号を生成する。そして、このトラッキングエラー信号は、｛（光電変換信号Ａ＋光電変換信号Ｂ）−（光電変換信号Ｃ＋光電変換信号Ｄ）｝−Ｘ・｛（光電変換信号Ｅ(１)＋光電変換信号Ｆ(１)）−（光電変換信号Ｇ(１)＋光電変換信号Ｈ(１)）＋（光電変換信号Ｉ(１)＋光電変換信号Ｊ(１)）−（光電変換信号Ｋ(１)＋光電変換信号Ｌ(１)）｝となり、受光面１２、１３が受光領域Ｅ乃至Ｈ、Ｉ乃至Ｌにおいて受光した迷光を、受光面Ｍ１、Ｍ２、Ｎ１、Ｎ２が受光した迷光で相殺した信号となる。つまり、光ディスク９０の前記対象の情報記録層（Ｌ０又はＬ１）のトラックに対する、０次光の位置ずれに正確に対応したトラッキングエラー信号が生成されることとなる。
【０１４３】
上述の第３のその他の形態によれば、受光領域Ｅ、Ｆ（Ｉ、Ｊ）と受光領域Ｇ、Ｈ（Ｋ、Ｌ）とのそれぞれに受光面Ｍ１、Ｍ２（Ｎ１、Ｎ２）を設けることにより、他の情報記録層からの迷光の光強度分布に対応して迷光を相殺することが可能となる。この結果、受光面１２、１３の受光結果に基づいてより正確なトラッキングエラー信号やフォーカスエラー信号を検出することが可能となり、光ディスク９０の一の情報記録層（Ｌ０又はＬ１）に対してより正確に０次光を集光させることが可能となる。
【０１４４】
尚、上述においては、トラッキングエラー信号の生成における迷光の相殺について説明したがこれに限るものではなく、フォーカスエラー信号の生成においても同様の効果を奏することが可能である。
【０１４５】
＜＜第４のその他の形態＞＞
上述の第３のその他の形態においては、図１１に示す受光面Ｍ１、Ｍ２、Ｎ１、Ｎ２を、略長方形状に設けているが、これに限るものではない。例えば図１３に示すように、受光面Ｍ、Ｎを、分割された受光面Ｍ１、Ｍ２からなる楕円形状、分割された受光面Ｎ１、Ｎ２からなる楕円形状とし設けても、同様の効果を奏することが可能である。尚、この楕円形状やその他の形状の受光面Ｍ１、Ｍ２、Ｎ１、Ｎ２については、第１のその他の形態に記した通りである。
【０１４６】
＜＜第５のその他の形態＞＞
また、例えば図１４に示すように、受光面１２、１３が±１次反射光を受光する領域以外に受光面Ｍ１、Ｍ２、Ｎ１、Ｎ２を設けても良い。この場合、第２のその他の形態に示す同様の効果を奏することが可能となる。
【０１４７】
尚、上述の実施形態及び各その他の実施形態においては、差動非点収差法に基づくフォーカスエラー信号の検出について説明したが、これに限るものではない。例えば、非点収差法に基づくフォーカスエラー信号を検出する場合、受光面１２、１３は、それぞれ２分割した受光領域（Ｅ、ＦとＧ、Ｈ、Ｉ、ＪとＫ、Ｌ）のみを有する構成としても良い。また、上述においては、受光面１２、１３のそれぞれに受光面Ｍ、Ｎ（Ｍ１、Ｍ１、Ｎ１、Ｎ２）を設けて迷光を相殺するものとして説明したが、これに限るものではない。例えば、受光面１２に受光面Ｍ（Ｍ１、Ｍ２）のみを設け、受光面Ｍ（Ｍ１、Ｍ２）が受光する迷光に基づいて受光面１３が受光する迷光を相殺するように設けても良い。また、その逆としても良い。また、上述の実施形態等においては、光ディスク９０の他の情報記録層からの迷光を相殺すると説明したが、本発明に係らない演算処理回路２０等を構成する増幅器２２等のばらつき、製造誤差等によっては完全に相殺することが出来ないこともある。しかしながら、本発明に係る光検出装置１０は迷光を相殺する目的で受光面Ｍ、Ｎ等を有しているため、少なくとも迷光を低減することが可能となり、従来の光検出装置と比べて有用なものとなる。
【図面の簡単な説明】
【０１４８】
【図１】本発明に係る光検出装置が有する受光面を示す図である。
【図２】本発明に係る光検出装置を具備する光ピックアップ装置の全体構成を示す図である。
【図３】トラッキングエラー信号を生成する演算処理回路の全体構成を示す回路図である。
【図４】本発明に係る光検出装置において０次反射光と迷光のみを受光する様子を示す図である。
【図５】フォーカスエラー信号を生成する演算処理回路の全体構成を示す回路図である。
【図６】本発明に係る光検出装置が有する受光面を示す図である。
【図７】再生信号を生成する演算処理回路の全体構成を示す回路図である。
【図８】図６に示す光検出装置のその他の形態を示す図である。
【図９】本発明に係る光検出装置が有する受光面のその他の形態を示す図である。
【図１０】本発明に係る光検出装置が有する受光面のその他の形態を示す図である。
【図１１】本発明に係る光検出装置が有する受光面のその他の形態を示す図である。
【図１２】トラッキングエラー信号を生成する演算処理回路の全体構成を示す回路図である。
【図１３】本発明に係る光検出装置が有する受光面のその他の形態を示す図である。
【図１４】本発明に係る光検出装置が有する受光面のその他の形態を示す図である。
【図１５】光検出装置が有する受光面を示す図である。
【図１６】多層光ディスクの情報記録層に対するレーザー光の照射の様子を示す図である。
【図１７】光検出装置の受光面に対する迷光の照射の様子を示すである。
【符号の説明】
【０１４９】
１  光ピックアップ装置
２  半導体レーザー
３  回折格子
４  偏光ビームスプリッタ
５  コリメータレンズ
６  １／４波長板
７  対物レンズ
８  アクチュエータ
９  検出レンズ
１０  光検出装置
１１、１２、１３、１４  受光面
１０１、１０２、１０３  受光面
Ｍ、Ｍ１、Ｍ２、Ｎ、Ｎ１、Ｎ２  受光面
Ｓ１、Ｓ２  受光面
２０、４０、６０、８０  演算処理回路
２１、２４、２８  加算器
３１、３５  加算器
４１、４２、４４、４５、４９  加算器
５０、５４  加算器
６１、６２、６４、６５、６９  加算器
７０、７４、７６  加算器
８１、８２、８３、８７  加算器
２２、２５、２９  増幅器
３２、３６、４７  増幅器
５２、５５、６７  増幅器
７２、７５、８４  増幅器
２３、２６、２７  減算器
３０、３３、３４、３７、３９  減算器
４３、４６、４８  減算器
５１、５３、５６、５８  減算器
６３、６６、６８  減算器
７１、７３、７８、８５  減算器
３８、５７、７７  直流信号生成器
９０、１００  光ディスク
【図１】
2008059631.tif 000003
【図２】
2008059631.tif 000004
【図３】
2008059631.tif 000005
【図４】
2008059631.tif 000006
【図５】
2008059631.tif 000007
【図６】
2008059631.tif 000008
【図７】
2008059631.tif 000009
【図８】
2008059631.tif 000010
【図９】
2008059631.tif 000011
【図１０】
2008059631.tif 000012
【図１１】
2008059631.tif 000013
【図１２】
2008059631.tif 000014
【図１３】
2008059631.tif 000015
【図１４】
2008059631.tif 000016
【図１５】
2008059631.tif 000017
【図１６】
2008059631.tif 000018
【図１７】
2008059631.tif 000019